(57)【要約】  針装置（１００）が記載される。針装置は、カテーテルハブを通って流体の流れを制御するためのカテーテルハブ（１０６）、針ハブ（１０２）、及びバルブシステム（１１２、２０２）を有することができる。バルブシステムは、バルブ（１１２、２０２）及びバルブ受け（１１６、２１０）を含むことができる。バルブは、そこを通る流体の流れのための流れ孔（１５２）を有することができ、またはバルブの外に設置された流れ孔を通る流れを制御するためのバルブ部品（２１０）を有することができる。針保護装置（１２２）は、針の先端を閉鎖するために針装置とともに使うことができる。バルブオープナ（１１４）もまた、バルブを開けるために使われることができる。
2018515182.tif 000002
【特許請求の範囲】
【請求項１】
カテーテルハブ（１０６）に取り付けられたカテーテルチューブ（１０８）であって、前記カテーテルハブ（１０６）は、内部空洞（１２０）を画定する外部表面と内部表面を備えるハブ本体を備えるカテーテルチューブ（１０８）と、
バルブ軸（１４８、２０８）によって、第２の直径を備える第２のバルブ部品（１４６、２０６）に取り付けられた第１の直径を備える第１のバルブ部品（１４４、２０４）を備えるバルブであって、前記バルブ軸は、前記第１の直径及び前記第２の直径よりも小さい、軸直径を有し、内腔（１８０、２５０）は、バルブ軸（１４８、２０８）を少なくとも部分的に通って延在し、及び隔膜（１６０、２５０）は、前記内腔（１８０、２５０）の端部に設置された１以上のスリット（１７０、２２０）を備える、バルブと、
前記カテーテルハブ（１０６）の前記内部空洞（１２０）に前記バルブ（１１２、２０２）を固定するために前記カテーテルハブ（１０６）の前記内部空洞（１２０）に、配置されたバルブ受け（１１６、２１０）と、
前記バルブ軸（１４８、２０８）を通って、前記カテーテルチューブ（１０８）を通って突き出て、使用準備位置において、前記カテーテルチューブ（１０８）の遠位端の遠位へ延在する針の先端（１１０）を有する、針（１０４）であって、前記針（１０４）は、針ハブ（１０２）へ取り付けられる近位端（１０２）を有する針と、
を備える針装置。
【請求項２】
さらに、前記バルブ（１１２、２０２）を開けるための端部プレート（１３４）と前記端部プレート（１３４）に取り付けられた少なくとも１つの脚部（１３２ａ、１３２ｂ）を備える、請求項１に記載の針装置。
【請求項３】
前記バルブ受け（１１６、２１０）は、複数の流れ孔（１５２）を備える、請求項１または請求項２に記載の針装置。
【請求項４】
さらに、前記バルブ受け（１１６、２１０）の中央に設置された、中央に配置された孔（１５４）を備える、請求項１乃至３のいずれか１項に記載の針装置。
【請求項５】
前記第２のバルブ部品（１４６、２０６）は、２つの間隙を介して、隔たるスロット（１５６ａ、１５６ｂ、２７０）を備える、請求項１乃至４のいずれか１項に記載の針装置。
【請求項６】
前記第２のバルブ部品（１４６、２０６）は、遠位の方向に、前記第１のバルブ部品（１４４、２０４）を押し進めることによって、偏向可能である、請求項１乃至５のいずれか１項に記載の針装置。
【請求項７】
前記第１のバルブ部品（１４４、２０４）は、半球体頂上（１６４）と、前記内腔（１８０、２５０）と連通する開口を備える、請求項１乃至６のいずれか１項に記載の針装置。
【請求項８】
さらに、前記バルブ受け（１１６、２１０）の近くに設置された突出部（１３６）を備える、請求項１乃至７のいずれか１項に記載の針装置。
【請求項９】
前記第２のバルブ部品（１４６、２０６）は、外側の直径を有し、
前記第１のバルブ部品（１４４、２０４）は、外側の直径を有し、
前記第２のバルブ部品（１４６、２０６）の前記外側の直径は、前記第１のバルブ部品（１４４、２０４）の前記外側の直径よりも大きい、請求項１乃至８のいずれか１項に記載の針装置。
【請求項１０】
前記第２のバルブ部品（１４６、２０６）は、外側の直径を有し、
前記第１のバルブ部品（１４４、２０４）は、外側の直径を有し、
前記第２のバルブ部品（１４６、２０６）の前記外側の直径は、前記第１のバルブ部品（１４４、２０４）の前記外側の直径よりも小さい、請求項１乃至８のいずれか１項に記載の針装置。
【請求項１１】
前記第２のバルブ部品（１４６、２０６）は、複数の流れ孔（１５２）を備える、請求項１乃至１０のいずれか１項に記載の針装置。
【請求項１２】
前記第２のバルブ部品（１４６、２０６）は、前記第１のバルブ部品（１４４、２０４）の近くに設置されている、請求項１乃至１０のいずれか１項に記載の針装置。
【請求項１３】
前記第１のバルブ部品は、複数の流れ孔を有する、請求項１乃至１２のいずれか１項に記載の針装置。
【請求項１４】
前記バルブ受け（１１６、２１０）は、保持空間（２３６）を有し、前記第１のバルブ部品（１４４、２０４）は、保持空間（２３６）に設置される、請求項１乃至１３のいずれか１項に記載の針装置。
【請求項１５】
針装置の製造方法であって、
カテーテルハブ（１０６）に取り付けられた、カテーテルチューブ（１０８）を取り付けることであって、前記カテーテルハブ（１０６）は、内部空洞（１２０）を画定する外部表面と内部表面を備えるハブ本体を備える、カテーテルチューブ（１０８）を取り付けることと、
前記カテーテルハブ（１０６）の前記内部空洞（１２０）にバルブ（１１２、２０２）を取り付けることであって、前記バルブ（１１２、２０２）は、バルブ軸（１４８、２０８）によって、第２の直径を備える、第２のバルブ部品（１４６、２０６）に取り付けられる第１の直径を備える、第１のバルブ部品（１４４、２０４）を備え、前記バルブ軸は、前記第１の直径及び前記第２の直径より小さい軸直径を有し、内腔（１８０、２５０）は、前記バルブ軸（１４８、２０８）を通って、少なくとも部分的に延在し、隔膜（１６０、２４０）は、前記内腔（１８０、２５０）の端部に設置された１以上のスリットを備える、前記バルブ（１１２、２０２）を取り付けることと、
前記カテーテルハブ（１０６）の前記内部空洞（１２０）に前記バルブ（１１２、２０２）を固定するために前記カテーテルハブ（１０６）の前記内部空洞（１２０）にバルブ受け（１１６、２１０）を配置することと、
針（１０４）の前記針の先端（１１０）が、使用準備位置に前記カテーテルチューブ（１０８）の遠位端の遠位に延在するように、前記バルブ軸（１４８、２０８）を通って、及び前記カテーテルチューブ（１０８）を通って、前記針（１０４）を突き出すことであって、前記針（１０４）は、針ハブ（１０２）に取り付けられる近位端を有する、前記針を突き出すことと、
を備える針装置の製造方法。
【発明の詳細な説明】
【技術分野】
【０００１】
開示される発明は、一般的に、静脈（ＩＶ）及び動脈カテーテルを含む、静脈内注射装置に関する。特に、流れを制御するシステムを有するカテーテル装置と関連する方法が開示される。
【背景技術】
【０００２】
針装置は、一般に、患者に流体を注入したり、患者から採血をしたり、患者の血管システムのさまざまなパラメータを監視することを含む、さまざまな注入療法に使用される。カテーテルハブに接続されるカテーテルチューブは、典型的に、アダプタに接続され、そしてＩＶチューブに接続する。血液制御カテーテルは、カテーテルハブの近位端にオスルアーまたは他のオブジェクトの挿入によって開けられた、バルブのような、内部血液制御調整弁を含む。それゆえ、患者の血管系の中にカテーテルチューブの設置を生じると、ＩＶ流体源はカテーテルハブに接続されることができ、血液制御バルブを開ける。接続されるとすぐに、ＩＶ源からの流体は、カテーテルを通って、患者に流れ始めることができる。従来の考え方から言えば、近位端は、施術者の近くの端部であり、遠位端は、さらに、施術者から離れる。
【０００３】
針装置はしばしば患者の血管系の中にカテーテルチューブを設置した後、予想外の突き刺さりを防ぐために、針の先端を覆う安全システムを含む。これらのシステムは、受動性または能動性であることができる。いくつかのシステムにおいて、安全の特徴は、他のシステムにおいて、それらがカテーテルハブの外部にある一方で、準備位置でカテーテルハブの内側に設置される。どちらか一方の設置において、安全の特徴は、同じ機能を供給し、静脈穿刺の後の予期しない針の突き刺さりを防ぐために、針の先端を覆う。
【発明の概要】
【課題を解決するための手段】
【０００４】
本開示の態様は、針装置を含む。本明細書の針装置は、カテーテル部品であることができる。カテーテル部品は、針の後のカテーテルまたはＩＶカテーテル部品であることができる。カテーテル部品は、カテーテルハブへ取り付けられたカテーテルチューブ、針ハブに取り付けられ、カテーテルチューブの遠位開口の遠位に延在する針先端のある準備位置にあるカテーテルハブ及びカテーテルチューブを通って突き出る針、を含む。バルブは、カテーテルハブの内側に取り付けられることができる。バルブは、バルブ受けを備えるバルブシステムの不可欠な要素であることができる。バルブシステムは、バルブ軸によって、第２の直径を備える第２のバルブ部品に取り付けられた第１の直径を備える第１のバルブ部品を備えるバルブであって、バルブ軸は、前記第１の直径及び前記第２の直径よりも小さい、軸直径を有し、内腔は、バルブ軸を少なくとも部分的に通って延在し、及び隔膜は、内腔の端部に設置された１以上のスリットを備える、バルブと、カテーテルハブの内部空洞にバルブを固定するために、カテーテルハブの内部空洞に配置されたバルブ受けと、を備えることができる。
【０００５】
本開示のさらなる態様は、針装置であって、カテーテルハブに取り付けられたカテーテルチューブであって、前記カテーテルハブは、内部空洞を画定する外部表面と内部表面を備えるハブ本体を備えるカテーテルチューブと、バルブ軸によって、第２の直径を備える第２のバルブ部品に取り付けられた第１の直径を備える第１のバルブ部品を備えるバルブであって、バルブ軸は、第１の直径及び前記第２の直径よりも小さい、軸直径を有し、内腔は、バルブ軸を少なくとも部分的に通って延在し、及び隔膜は、内腔の端部に設置された１以上のスリットを備える、バルブと、カテーテルハブの内部空洞にバルブを固定するために、カテーテルハブの内部空洞に配置されたバルブ受けと、バルブ軸を通って、前記カテーテルチューブを通って突き出て、使用準備位置において、カテーテルチューブの遠位端の遠位へ延在する針の先端を有する、針であって、針は、針ハブへ取り付けられる近位端を有する針と、を備える針装置を含む。
【０００６】
本開示の態様は、さらに、針装置の製造方法を含む。製造方法は、カテーテルハブに取り付けられた、カテーテルチューブを取り付けることであって、前記カテーテルハブは、内部空洞を画定する外部表面と内部表面を備えるハブ本体を備える、カテーテルチューブを取り付けることと、カテーテルハブの内部空洞にバルブを取り付けることであって、前記バルブは、バルブ軸によって、第２の直径を備える、第２のバルブ部品に取り付けられる第１の直径を備える、第１のバルブ部品を備え、バルブ軸は、第１の直径及び第２の直径より小さい軸直径を有し、内腔は、バルブ軸を通って、少なくとも部分的に延在し、及び隔膜は、内腔の端部に設置された１以上のスリットを備える、バルブを取り付けることと、カテーテルハブの内部空洞にバルブを固定するためにカテーテルハブの内部空洞にバルブ受けを配置することと、針の針先端が、使用準備位置にカテーテルチューブの遠位端の遠位に延在するように、バルブ軸を通って、及びカテーテルチューブを通って、針を突き出すことであって、前記針は、針ハブに取り付けられる近位端を有する、針を突き出すことと、を備えることができる。
【０００７】
本開示のさらなる態様は、針装置の使用方法を含む。針装置は、カテーテルチューブを備えるカテーテルハブと、針ハブに取り付けられた針と、カテーテルハブの内部空洞に設置されたバルブシステムと、を備えることができる。使用方法は、カテーテルハブとカテーテルチューブから針と針ハブを取り除くことと、針ハブの近位の開口の中にオス型の医療用器具を取り付け、及びバルブ受けに対して遠位のバルブの部分を前進することと、前記前進するステップは、流体が、第１のバルブ部品の円周の周りまたは第１のバルブ部品の複数の孔を通って流れることができることを備えることができる。
【０００８】
方法または器具は、さらに本明細書に記載された１以上の構造的特徴及び／またはステップを含むことができる。
【０００９】
針装置は、さらに、バルブを開けるための端部プレートを有するバルブオープナを備えることができる。
【００１０】
バルブオープナは、端部プレートに取り付けられた少なくとも１つの脚部を有することができる、針装置である。バルブオープナは、端部プレートに取り付けているそれぞれの脚部を備える２つの間隙を介して、隔たる脚部を有することができる。２つの脚部の端部は、オスの医療用器具によって押し出される大きさと形状であることができる。端部プレートは、バルブまたは少なくともバルブの一部に対して押し出すために使われることができる。
【００１１】
端部プレートとバルブ受けは、お互いに対して回転可能に固定されることができる。いくつかの実施例において、スロットは、バルブオープナにおける脚部が、バルブ受けに対して回転することができるバルブ受けとともに使われることができる。
【００１２】
バルブ受けは、１以上のスロットを有することができる、針装置である。１以上のスロットは、第１の円筒部分の内側の縁、側壁、及び端壁の少なくとも一部を通って切ることができる。
【００１３】
端部プレートは、複数の流れ孔を含むまたは組み込むことができる、針装置である。
【００１４】
針装置は、さらに端部プレートの中央に設置された中央に配置された孔を備えることができる。
【００１５】
バルブ受けは、２つの間隙を介して、隔たるスロットを備えることができる、針装置である。
【００１６】
端部プレート及び２つの脚部は、プラスチックから、または、金属から作られることができる。
【００１７】
２つの脚部が組み込まれたとき、２つの脚部のそれぞれは、バルブ受けの２つの間隙を介して隔たるスロットの対応する１つを通って、延在することができる、針装置である。
【００１８】
バルブ受けは、複数の流れ孔を備えることができる、針装置である。
【００１９】
針装置は、さらにバルブ受けの中央に設置された中央に配置された孔を備えることができる。
【００２０】
第２のバルブ部品は、バルブ受けの複数の流れ孔をふさぐことができる、針装置である。
【００２１】
第１のバルブ部品は、平らな下側表面に半球頂上を含むことができる、針装置である。
【００２２】
第２のバルブ部品は、カテーテルハブの内部表面に接触する外周を備えることができる、針装置である。
【００２３】
第２のバルブ部品は、２つの間隙を介して、隔たるスロットを備えることができる、針装置である。
【００２４】
バルブオープナは、２つの脚部を含むことができ、２つの脚部のそれぞれは、２つの間隙を介して、隔たるスロットの対応する１つを通って延在することができる、針装置である。
【００２５】
第１のバルブ部品は、端部プレートの遠位に配置されることができ、端部プレートは、バルブ受けの遠位に配置されることができ、及びバルブ受けは、第２のバルブ部品の遠位に配置されることができる、針装置である。
【００２６】
第２のバルブ部品は、遠位の方向に第１のバルブ部品を押し出すことによって偏向可能であることができる、針装置である。
【００２７】
第２のバルブ部品は、オス型の医療用器具に直接接することによって、偏向可能であることができる、針装置である。
【００２８】
針装置は、さらに端部プレートの近位に面する壁の表面と、バルブ受けの遠位に面する壁の表面の間の間隔を備えることができる、針装置である。
【００２９】
第１のバルブ部品は、半球体頂上と内腔に連通する開口を備えることができる、針装置。
【００３０】
針装置は、バルブ受けの近位に設置された突出部をさらに備えることができる。
【００３１】
針装置は、さらに、近位の壁、２つの腕部、及び２つの遠位の壁を備える、針保護装置を備えることができ、及び腕部の１つの少なくとも一部は、使用準備位置において、カテーテルハブへ、針保護装置をとどめておくための突出部と相互作用する、針装置である。
【００３２】
端部プレートが、端部プレートから遠位に離れて動くとき、流体の流れが、バルブ受けを通ることができる、針装置である。
【００３３】
端部プレートは、バルブ受けの２つの流れ孔に並べられた少なくとも２つの流れ孔を含むことができる、針装置である。他の実施例において、１または２より多い流れ孔は、バルブ受けの流れ孔に並べられて提供されることができる。
【００３４】
端部プレートは、バルブ受けの中央に配置された孔に並べられた中央に配置された孔を含むことができる。
【００３５】
第２のバルブ部品は、外側の直径を有し、また、第１のバルブ部品は、外側の直径を有する、針装置であり、また、第２のバルブ部品の外側の直径は、第１のバルブ部品の外側の直径より大きくてもよい、針装置である。
【００３６】
第２のバルブ部品は、外側の直径を有し、また、第１のバルブ部品は、外側の直径を有する、針装置であり、また、第２のバルブ部品の外側の直径は、第１のバルブ部品の外側の直径より小さくてもよい、針装置である。
【００３７】
第１のバルブ部品と第２のバルブ部品は、いずれの流れ孔も省略することができ、排除することができる、針装置である。
【００３８】
第２のバルブ部品は、複数の流れ孔を備えることができる、針装置である。
【００３９】
第２のバルブ部品は、第１のバルブ部品の近くに設置されることができる、針装置である。
【００４０】
バルブ受けは、複数の流れ孔を含むことができ、第１のバルブ部品は、複数の流れ孔を含むことができる、針装置である。
【００４１】
流れ孔は組み込まれたとき、第１のバルブ部品とバルブ受けの流れ孔は、整列していなくてもよい、針装置である。
【００４２】
流れ孔が組み込まれたとき、第１のバルブ部品の流れ孔の複数の開口は、バルブ受けの内部壁の表面によって覆われることができる、針装置である。
【００４３】
バルブ受けは、保持空間を含むことができ、及び、第１のバルブ部品が保持空間に設置されることができる、針装置である。
【００４４】
針装置は、さらに、第１のバルブ部品の遠位に面する壁の表面に対して押しつけるバルブ受けの縁を備えることができる。バルブ受けの縁は、バルブ受けの内部壁の表面に対して第１のバルブ部品を押しつけることができる。
【００４５】
保持空間は、第１の円筒部分に設置されることができる、針装置であって、第２の円筒部分は、第１の円筒部分に取り付けられることができる、針装置である。
【００４６】
バルブ軸は、第２の円筒部分の穴を貫通することができる、針装置である。
【００４７】
第２のバルブ部品が遠位の方向に進行するとき流体の流れが許されることができる、針装置である。
【００４８】
第２のバルブ部品は、第１のバルブ部品の外側の直径より、小さい外側の直径を有することができる、針装置である。
【００４９】
第１のバルブ部品が少なくとも部分的にバルブ受けの内部壁の表面から離れて、遠位の方向に押されるとき、流体の流れが許されることができる、針装置である。
【００５０】
第１のバルブ部品は、遠位の方向に第２のバルブ部品を押すことによって、遠位の方向に押されることができる、針装置である。
【００５１】
流体の流れが、バルブ受けの複数の流れの孔を通り抜け、そしてそれから第１のバルブ部品の複数の流れの孔を通り抜けるとき、流体の流れが許されることができる、針装置である。
【００５２】
針は、針の先端の近位に設置される外形の変化を備える、針装置である。
【００５３】
針装置は、さらに針に設置される、近位の壁、２つの腕部、及び２つの遠位の壁を備える針保護装置を備えることができる。
【００５４】
針保護装置は、カテーテルハブの内部空洞の内側に完全に設置されることができる、針装置である。
【００５５】
針保護装置は、カテーテルハブの内部空洞の内側に部分的に及びカテーテルハブの外側に部分的に設置されることができる、針装置である。
【００５６】
本明細書で開示される針装置を作成する及び使用する方法は、本開示の範囲内にある。
【００５７】
針装置は、針の後のカテーテル部品またはＩＶカテーテル部品であることができる。
【００５８】
針装置は、針ハブ、針、カテーテルハブ、及びカテーテルチューブを含むことができる。
【００５９】
針は、カテーテルチューブの遠位端の外に延在する針先端を備えるカテーテルハブとカテーテルチューブを通って、針ハブの先端部分から、遠位に突き出ることができる。
【００６０】
針ハブは、フラッシュバックチャンバと開口を有することができる。開口は、液口栓によって閉じられることができる。
【００６１】
バルブシステムは、カテーテルハブの内部空洞に配置されたバルブとバルブ受けを備えることができる。バルブシステムは、さらにバルブ作動装置を含むことができる。
【００６２】
針の先端を覆うための針保護装置は、カテーテルハブの内部空洞の内側に配置されることができる。カテーテルハブは、穴を画定することができる。針保護装置は、穴に配置されることができる。
【００６３】
針保護装置は、バルブ作動装置の２つの脚部の間に配置されることができる。針保護装置は、カテーテルハブの中に配置されたときに、バルブオープナと一緒の軸方向に沿った重なる部分を有することができる。
【００６４】
針保護装置は、保護筐体の中に配置されることができ、また、筐体は、実質的に外部からまたはカテーテルハブの外側に設置される。
【００６５】
針保護装置は、２つの腕部を有することができる。それぞれの腕部または２つの腕部の少なくとも１つは、針の先端を遮断するために遠位の壁を有することができる。針保護装置は、貫通するための針の近位の開口を画定する外周を備える近位の壁を有することができる。２つの腕部は、近位の壁に取り付けられることができる。２つの腕部は、針の側面の沿って見るとき、２つの腕部が交差するように、針シャフトの反対の側面に沿って軸方向に延在することができ、または、針シャフトを交差することができる。
【００６６】
針は、外形の変化を有することができ、外形は、ひだ、出っ張り、スリーブ、または材料の積み重ねであることができる。外形の変化は、患者の静脈にカテーテルチューブの設置に続く、近位の開口と一体の外周に連動することができ、また、針は、カテーテルチューブから離れた近位に、格納されることができる。
【００６７】
針装置は、針保護装置なしで実行されることができ、針保護装置は、取り除かれることができる。
【００６８】
針保護装置は、カテーテルハブの内側に完全に、カテーテルハブの内側に部分的に、またはカテーテルハブの外側に完全に、配置されることができる。
【００６９】
針保護装置がカテーテルハブの外側に完全にあるとき、針保護装置は、カテーテルハブと針ハブの間の覆い、または分離したハブ筐体の中にあることができる。
【００７０】
針先端は、カテーテルハブとカテーテルチューブから離れて後退した針と針ハブによって達成した静脈穿刺に続く２つの遠くの壁によって覆われることができる。２つの遠くの壁は、それぞれ、曲がったへりを含むことができ、またはまっすぐな端部で終端することができる。
【００７１】
針の外形の変化は、近位の壁に隣接することができる。針の外形の変化は、近位の壁の開口を画定する外周に隣接することができる。
【００７２】
針保護装置は、針の先端が、針保護装置で覆われている、準備位置と保護位置の両方で、側面に沿って見ると、お互いに交差する２つの腕部を有することができる。
【００７３】
針保護装置は、近位の壁から軸方向に延在する２つの腕部を有することができ、また、針保護装置の側面に沿って見ると、交差しない。
【００７４】
針保護装置は、単一の腕部のみ有することができる。
【００７５】
針保護装置の２つの腕部は、肘部を有することができ、肘部は、準備位置でカテーテルハブの内部空洞の内側の突出部を連動することができる。
【００７６】
針は、針が準備位置で、２つの腕部の２つの曲がったへりの間に設置されるとき、外側へ２つの腕部を付勢することができる。
【００７７】
達成した静脈穿刺に続く針の格納の間、針の先端は、２つの遠位の壁の近位に動くことができる。２つの遠位の壁により、２つの腕部は、針の先端を覆うために半径方向に動くことができてもよい。外形の変化は、近位の壁に開口を画定する外周に連動することができる。さらに針の近位の動作は、針保護装置によって覆われた針の先端を備えるカテーテルハブの内部空洞から針保護装置を取り除くことができる。
【００７８】
カテーテルハブは、針の挿入や除去の間に、押すような、装置を操作するとき、てことして用いることができる、メスのルアー、外部の糸、及びつまみの中に開く近くの開口を有することができる。
【００７９】
オスの医療用器具は、バルブを開けるために遠位のバルブオープナを押し進めるためにカテーテルハブの近位の開口の中に挿入されることができる。任意に、バルブは、バルブオープナが、針装置から除外されることができるように、カテーテルハブの開いた近位の端部の近くに配置されることができる。
【００８０】
組み込まれたとき、バルブオープナは、１以上の脚部を含むことができる。
【００８１】
バルブオープナは、端部プレートに接続された２つの間隙を介して、隔たる脚部を含むことができる。
【００８２】
バルブオープナの２つの間隙を介して、隔たる脚部は、注射器型または、オスのルアーアダプタのような、オス型の医療用器具と隣接して接触するための近位の端部の表面を有することができる。
【００８３】
接続部品は、２つ以上の脚部を指示するために提供することのような、お互いに対して、２つ以上の脚部を固定するために使用することができてもよい。
【００８４】
カテーテルハブの内部壁の表面は、少なくともそれぞれの脚部の一部が、細長い凹部に配置されるように、バルブオープナの２つの脚部を収容するための細長い凹部を有することができる。他の実施例では、カテーテルハブの内部表面は、細長い凹部はなくてもよい。
【００８５】
バルブオープナの脚部は、相対的に厚く、また、カテーテルハブの壁の表面に形成された凹部は、少なくともいくらかの厚さを収容できる。２つの近くの端部表面の部分のような、伸びた凹部に設置されない脚部の部分は、オスの医療用器具によって押されることのように、続いてバルブを開けるために使われることができる。２つの脚部は、カテーテルハブの内部壁表面と、針保護装置の２つの側面の間を画定する空間に沿って通ることができる。
【００８６】
突出部は、達成した静脈穿刺に続く針の格納の間、及び、使用準備位置に針保護装置をとどめるために内部空洞の大きな第２の内部直径の隣に設置された第１の内部直径によって画定されることができる。突出部は、カテーテルハブの内部空洞の外形の変化と呼ぶことができる。
【００８７】
突出部は、２以上の間隙を介して、隔たる部分を備えることができ、また、針保護装置は、使用準備位置の突出部の２つ以上の間隙を介する部分に連動することができる。例えば、２つ以上の間隙を介して隔たる部分は、カテーテルハブの内部の針保護装置をとどめておくために、針保護装置の一部を捕獲するための溝を画定することができる。
【００８８】
突出部の間隙を介する部分の間の間隙により、バルブ作動装置の２つの脚部は、突出部の遠位の位置から突出部の近位の位置に、またはその逆で、延在することができる。
【００８９】
バルブ作動装置の２つの脚部は、近位の方向の突出部の部分の間の２つの間隙を通って、遠位点から延在することができる。間隙は、突出部にわたって軸方向に延在するためのバルブ作動装置の２つの脚部のための間隔を提供することができる。
【００９０】
バルブオープナの端部プレートは、バルブ受けの遠位に配置されることができる。バルブ受けは、カテーテルハブの内部の中に、バルブをとどめておくために使われることができる。バルブ受けは、穴の内側にバルブをとどめておくためのカテーテルハブの内部壁の表面に固定されることができる。任意に、バルブは、バルブ受けがなくても、カテーテルハブの内側の肩部に対してくさびで留められることができる。
【００９１】
バルブ受けは、また、カテーテルハブの内側にバルブオープナをとどめておくこともできる。
【００９２】
バルブは、バルブ軸によって、第２のバルブ部品に接続される第１のバルブ部品を有することができる。
【００９３】
バルブ軸は、空洞の内部を有することができる。任意に、バルブ軸は、中実または部分的に満たされることができる。
【００９４】
第１のバルブ部品は、端部プレートの遠位に設置されることができる。端部プレートは、バルブ受けの遠位に設置される。バルブ受けは、第２のバルブ部品の遠位に設置される。遠位の方向のバルブオープナの脚部の動作は、端部プレートに、遠位に第１のバルブ部品を押し出させることができる。
【００９５】
第１のバルブ部品は、第１のバルブ部品の遠位動作が、バルブ軸を引いたり、押したりするように、第２のバルブ部品の遠位に設置される。バルブ軸は、第１のバルブ部品とバルブ軸の近位に設置された、第２のバルブ部品を、偏向させることができる。第２のバルブ部品が偏向するとき、流体の流れは、バルブシステムを通って流れることができる。
【００９６】
バルブ受けは、穴の内側にくさびで留めることができる。
【００９７】
バルブ受けは、近位に面する壁の表面、遠位に面する壁の表面、外側の外周、及び厚さを備える壁を有することができる。
【００９８】
バルブ受けは、突出部の遠位にくさびで留めることができる。
【００９９】
バルブ受けは、円盤形状、楕円形状、多角形状、または不規則な形状で具体化されることができる。
【０１００】
バルブ受けは、熱可塑性材料のような、曲げられる材料で作られることができる。熱可塑性材料により、端部プレートの円盤は、突出部の遠位に適合するように変形させることができる。
【０１０１】
突出部またはカテーテルハブの内部の外形の変化は、除外されることができ、そして、針保護装置は、バルブシステムに連動すること、または近位の壁の近くのカテーテルハブの内部表面に連動するために近くの壁の近くにスプリングフィンガを採用することによって、準備位置にとどめられることができる。凹部、肩部、または他の保持表面は、カテーテルハブの内部空洞の中に、バルブ受けを固定するためのカテーテルハブの穴に提供されてもよい。
【０１０２】
バルブ受けは、複数の流れ孔を有することができる。複数の孔は、無作為に間隔を空けられ、または均等に間隔を空けられることができる。複数の孔は、同じ大きさまたは異なる大きさを有することができる。
【０１０３】
バルブ受けは、使用準備位置において、バルブ軸を収容するために１つの中央に配置された孔を有することができる。中央に配置された孔は、複数の流れ孔より直径が大きく、または同じ大きさであることができる。
【０１０４】
複数の孔と中央に配置された孔は、流体の流れがそれらにわたって流れることを許すことができる。
【０１０５】
バルブ受けは、８つの孔と中央に配置された孔を組み込むことができる。
【０１０６】
バルブ受けは、８つの流れ孔より多くまたは８つの流れ孔より少なく組み込むことができる。
【０１０７】
流れ孔、中央に配置された孔の周りに等しく間隔を空けられてもよい。
【０１０８】
バルブ受けは、バルブ作動装置に２つの脚部を収容するために、１組のスロットを含むことができる。２つの脚部は、１組のスロットを通って、バルブ受けにわたって軸方向に延在することができる。スロットは、２つの脚部が、バルブ受けを通って延在し、及びカテーテルハブの近位の開口に向かって終端することができる一方で、バルブ受けの遠位に、バルブオープナの端部プレートの取り付けを許すことができる。
【０１０９】
バルブ、バルブオープナ、及びバルブ受けは、バルブシステムとして一緒に組み立てられることができ、そして、それゆえ、内部空洞に設置される。任意に、バルブシステムは、カテーテルハブの内側に直列に組み立てられることができる。
【０１１０】
カテーテルハブは、それらの間に継ぎ目を備えて２つの部分のハブ本体で作られることができる。バルブシステムは、内側に、バルブシステムを備える２つの部分のハブ本体を形成するために第１のハブ部品と第２のハブ部品を一緒に固定する前に、第１のハブ部品と第２のハブ部品の間に設置されてもよい。
【０１１１】
第１のハブ部品と第２のハブ部品は、溶接し、または接着することによって一緒に固定されることができる。
【０１１２】
２つの部分のハブ本体のための継ぎ目は、カテーテルハブのルアーの先細り部の遠位であることができる。
【０１１３】
２つの部分のハブ本体は、超音波溶接、接着、またはその組み合わせによって溶接されることができる。
【０１１４】
２つの部分のハブ本体の継ぎ目は、バルブシステム及び／またはバルブ作動装置の組み立てを容易にするために選択されることができる。任意に、カテーテルハブは、単一のハブ本体から作られることができる。
【０１１５】
バルブは、針が隔膜を通って突き出るときのように、開けられた位置で、隔膜を有することができる。
【０１１６】
第１のバルブ部品は、きのこ頭と同様である、半球形状頭部で具体化されることができる。半球形状頭部は、半球体頂上またはきのこ頂上とも呼ばれるかもしれない、一般的に平らな下側表面と丸いまたは球状の上側を有する。
【０１１７】
第１のバルブ部品の先端は矢の形状と同様に、狭くなることができる。先端は、増大した頭部を備える。
【０１１８】
先端は、バルブ受けと端部プレートの中央に配置された孔を通って適合することができるものによって提供される他の形状で具体化されることができる。
【０１１９】
第２のバルブ部品は、近位に面する壁の表面、遠位に面する壁の表面、円周、及び厚さを備える、壁の表面を備える、円盤で具体化することができる。
【０１２０】
第２のバルブ部品の円周は、カテーテルハブの内部壁の表面に対して密閉するための大きさと形状にされることができる。
【０１２１】
第２のバルブ部品には、バルブオープナの２つの脚部を収容するために２つのスロットが設けられている。
【０１２２】
第２のバルブ部品の直径は、２つの脚部を収容するための第２のバルブ部品に設けられたスロットと一体の２つの脚部の間の間隔よりも広くできる。
【０１２３】
突起、突出部、凹部、及び他の表面の形状は、表面のでこぼこを作り出すための第２のバルブ部品の円周の外部の表面に提供されてもよい。
【０１２４】
表面のでこぼこは、気体を抜くための流れ道として役目を果たすことができる。
【０１２５】
円周の表面は、近位に延在するように、内部へ先細りされることができる。
【０１２６】
円周は、一般的に一定の外側の直径を有することができる。
【０１２７】
バルブ軸は、第１のバルブ部品の平らな下側の表面と第２のバルブ部品の遠位に面する壁の表面に接続されることができる。
【０１２８】
バルブ軸は、空洞であり、半球体頂上を通るような、穴の１つの端部における隔膜及び他の端部における開口を含む。
【０１２９】
バルブは、弾性材料から作られてもよい。
【０１３０】
バルブは、シリコン材料から作られることができる。
【０１３１】
バルブは、弾性であることができる。
【０１３２】
第２のバルブ部品は、軸を通って第１のバルブ部品に接続することができ、及び、ここで、第２のバルブ部品の直径は、第１のバルブ部品の直径より大きいことができる。
【０１３３】
バルブは、バルブ軸を引き寄せることによって、第２のバルブ部品を引き寄せるために、第２のバルブ部品の遠位に面する表面を支持すること、遠位の方向に第１のバルブ部品の平らな下側の表面を押すこと、によってのように、外部の力によって伸びることができる。壁表面は、バルブ軸を引き寄せる力に応答して曲がり、または偏向することができる。
【０１３４】
隔膜は、針がバルブから取り除かれるとき、閉じた位置にあることができる。閉じた位置において、隔膜に１以上の蓋部を形成する１以上のスリットが、第２のバルブ部品からバルブ軸の内腔に通じる開口を閉じるために閉じられることができる。
【０１３５】
スリットは、３点星であることができる。
【０１３６】
スリットは、単一のまっすぐなスリット、交差した形状のスリット、またはＸ形状のスリットのような、他の形状を有することができる。
【０１３７】
バルブオープナは、プラスチック材料から作られてもよく、一元的に、端部プレートと２つの間隙を介して、隔たる脚部と一体になって形成されることができる。
【０１３８】
端部のプレートは、近位に面する壁の表面、遠位に面する壁の表面、円周、及び厚さを備える壁の表面を有することができる。端部のプレートは、円盤形状とし、複数の孔を有することができる。
【０１３９】
複数の孔は、複数の流れ孔と中央に配置された孔を含むことができる。
【０１４０】
端部プレートとバルブ受けの中央に配置された孔は、カテーテルハブの内側に配置されたとき、一列に並ぶことができる。
【０１４１】
端部プレートとバルブ受けの流れ孔は、カテーテルハブの内側に配置されたとき、一列に並ぶことができる。
【０１４２】
流れ孔は、端部プレートとバルブ受けの両方の中央に配置された孔の周りに均等に開けられてもよい。
【０１４３】
流れ孔は、中央に配置された孔の周りに無作為に配置されることもできる。
【０１４４】
バルブのバルブ軸は、端部プレートとバルブ受けの一列に並べられた中央に配置された孔に広がるための大きさと形状であることができる。
【０１４５】
しなやかで、圧縮できる、バルブの半球体頂上またはきのこ頭は、最初にバルブ受けの中央に配置された孔、それからバルブオープナの端部プレートの中央に配置された孔を通って押し出されることができる。
【０１４６】
第１のバルブ部品は、端部プレートとバルブ受けの中央に配置された孔を貫通を助けるために細長い穴が作られることができる
【０１４７】
バルブシステムがカテーテルハブの内側に取り付けられるとき、第２のバルブ部品の遠位に面する壁の表面は、バルブ受けの近位に面する壁の表面に面することができ、また、半球体頂上の平らな下側の表面は、バルブオープナの端部プレートの遠位に面する壁の表面に面することができる。
【０１４８】
端部プレートの近位に面する壁の表面は、バルブシステムが、組み立てられたときに、バルブ受けの遠位に面する壁の表面に面することができる。
【０１４９】
バルブシステムは、２つのバルブ部品の間に設置された分離して形成され、また続いて組み立てられたバルブ受け及び端部プレートを備える第２のバルブ部品から間隔を空けられた第１のバルブ部品を有することができる。
【０１５０】
バルブ軸は、バルブ受けと端部プレートの中央に配置された孔を通って延在することができ、バルブ軸は、第１のバルブ部品と第２のバルブ部品への２つの端部に接続されることができる。
【０１５１】
バルブ軸の外側の直径は、第１のバルブ部品と第２のバルブ部品の両方の外側の直径よりも小さくすることができる。
【０１５２】
バルブ軸は、穴または内腔を有することができ、そして第２のバルブ部品は、隔膜を有することができる。
【０１５３】
隔膜は１以上のスリットを有することができる。１以上のスリットは、バルブ軸の内腔を貫通する針を受けるために開くことができる。
【０１５４】
バルブオープナは、バルブ受けに２つのスロットに広がる２つの脚部によって、バルブ受けに対して回転可能でなくてもよい。
【０１５５】
２つのスロットは、いくつかの相対的な回転を許すために拡大されることができる。
【０１５６】
第２のバルブ部品の円周は、２つの脚部の間であるように構成されることができる。前記違いにおいて、２つの脚部は、それらの間に第２のバルブ部品の円周を収容するために十分広い幅を有することができる。
【０１５７】
第２のバルブ部品の遠位に面する壁の表面は、バルブ受けの近位に面する壁の表面に対して、置かれ、または、隣接することができる。バルブ受けは、バルブ受けの流れ孔及びバルブオープナの端部プレートの流れ孔を通るまたはそこからの流体の流れを塞いだり、または閉鎖することができる。
【０１５８】
ＩＶ源からのような、遠位の方向に流れる流体は、流れ孔を閉鎖するバルブの壁表面によって防ぐことができる。
【０１５９】
血流のような、近位の方向に流れる流体は、流体の圧力は、近位の方向にバルブの壁表面を偏向するために十分に高くすることなく、壁表面によって閉鎖されることができる。
【０１６０】
バルブと第２のバルブ部品の弾性は、近位の方向に、流体の流れを可能にするかまたは制限するための、適切な厚さ、材料の種類、またはデュロメータを選択することによって、制御されることができる。
【０１６１】
材料の剛性は、また、稼働されたときに、バルブを開けるために必要とされる緩みまたは強制を決定するために選択されることもできる。
【０１６２】
バルブ受けと端部プレートは、第１の距離によってお互いから間隔を空けられることができる。
【０１６３】
第１の距離は、ゼロから数ミリメートルであることができる。
【０１６４】
バルブ受けと端部プレートは、バルブシステムが開けられた位置にあるとき、第１の距離より大きい第２の距離でお互いから間隔を空けられることができる。
【０１６５】
バルブが閉じた位置において、第１の端部部品の平らな下側の表面と第２のバルブ部品の円周は、第１の距離でお互いから間隔を空けることができる。
【０１６６】
平らな下側の表面と円周は、バルブシステムが開けられた位置にあるとき、第１の距離よりも大きな第２の距離でお互いから間隔を空けられることができる。
【０１６７】
オスの医療用器具は、遠位の方向にバルブオープナの２つの脚部に対して押し出すためにカテーテルハブの近位の開口の中に挿入されることができ、それによって、バルブオープナの端部プレートの、特に端部プレートの遠位に面する壁の表面を、遠位の方向に第１のバルブ部品の平らな下側の表面に対して押しだし、張力をバルブ軸に掛ける。
【０１６８】
バルブ軸がバルブの第２のバルブ部品に取り付けられることができるように、張力は、第２のバルブ部品の遠位に面する壁の表面を引き寄せ、第２のバルブ部品の壁の表面を曲げる。
【０１６９】
第２のバルブ部品の円周の近くの、遠位に面する壁の表面は、バルブ受けから持ち上げられる。バルブ受けは、第２のバルブ部品の円周の周り及び流れ孔を通って、そして、カテーテルハブの遠位端の外へ及びカテーテルチューブの中へ、遠位の方向に、流体の流れを許すために流れ孔を開く。
【０１７０】
端部プレートとバルブ受けの間の第２の距離は、バルブが開けられた位置で増加することができる。平らな下側の表面と円周の第２の距離も、また、第２のバルブ部品の曲がっている壁の表面により増加することができる。
【０１７１】
オスの医療用器具がカテーテルハブの近位の開口から取り除かれるとき、バルブの弾性は、そのより緩和した状態に戻り、そして、その閉じられた位置へバルブシステムを戻すことができる。
【０１７２】
オスのルアーアダプタは、カテーテルハブのメスのルアーの中に突き出ているルアーの先端を備え、そして、遠位の方向へ、バルブ作動装置を進めるために２つの脚部の近位の端部の表面に対して押し出す、本体を有することができる。
【０１７３】
先端は、流体が、先端を通って、放出し、または、先端を乗り越えられることができる遠位の開口を有し、バルブオープナの遠位端、特に端部プレートの遠くに面する壁の表面を、遠位の方向に第１のバルブ部品の平らな下側の表面に対して押しだし、張力をバルブ軸に掛ける。
【０１７４】
バルブ軸は、バルブの第２のバルブ部品に取り付けられるように、張力は、第２のバルブ部品の遠位に面する壁の表面を引き寄せ、第２のバルブ部品の壁の表面を曲げる。
【０１７５】
第２のバルブ部品の円周の近くの、遠位に面する壁の表面はバルブ受けから持ち上げられる。バルブ受けは、第２のバルブ部品の円周の周り及び流れ孔を通って、そして、カテーテルハブの遠位端の外へ及びカテーテルチューブの中へ、遠位の方向に、流体の流れを許すために流れ孔を開く。
【０１７６】
オスのルアーアダプタは、注射器、ＩＶラインのルアー先端、などのような、多くのオスの医療用器具を示すことができる。
【０１７７】
オスのルアーアダプタは、カテーテルハブに外部の糸と一体の糸を通したかみ合い物として糸を通した環を有することができる。
【０１７８】
溝または突出物であることができる、保持肩部は、カテーテルハブの穴の内側のバルブシステムに設置するための、カテーテルハブの内部壁の表面が設けられることができる。
【０１７９】
保持肩部は、連続した溝、突出物を有する環状の輪であることができ、また、円周に沿った１以上の断絶を含むことができる。
【０１８０】
バルブシステムは、バルブ軸によって接続された第１のバルブ部品と第２のバルブ部品を備えるバルブを備える。第１のバルブ部品は、カテーテルハブの内部空洞の中にバルブシステムをとどめておくために肩部に対して固定されることができる。
【０１８１】
第１のバルブ部品は、肩部に対して固定されたバルブ受けによって、支持されることができる。
【０１８２】
バルブ受けは、溝に保持された円周を有することができ、そして、第１のバルブ部品は、バルブ受けの保持空間に設置されることができる。
【０１８３】
カテーテルハブはオスのルアーの先端を受けるためのメスのルアー部を有することができそして、保持肩部は、オスのルアーの先端へ接続を妨げることがないように、メスのルアー部の遠位に設置されることができる。
【０１８４】
カテーテルハブは、継ぎ目を備える２つの部分のハブから作られることができる。保持肩部は、２つの部分の筐体の継ぎ目に設置されることができる。
【０１８５】
２つの部分の筐体は、バルブ受けまたはバルブ部品の円周を収容するために２つの部分のハブの継ぎ目に保持肩部とともに作られることができる。バルブ受けまたはバルブ部品の円周が、保持肩部に設置されるとすぐに、２つの部分のハブは、溶接、接着またはその組み合わせを用いて、接合されることができる。
【０１８６】
バルブシステムのバルブ軸及び／または第２のバルブ部品は、オスのルアーの先端が、メスのルアー部に接続されたとき、流体の流れのためにバルブシステムを開けるために遠位の方向に第２のバルブ部品と接し、また押し進むことができるように、メスのルアー部の中に設置されることができる。
【０１８７】
第１のバルブ部品は、近位に面する壁の表面、遠位に面する壁の表面、円周、及び厚さを有する、壁を有することができる。複数の流れ孔は、流体の流れに流れ道を提供するための壁の厚さを通って組み込まれることができる。
【０１８８】
スリットの形で、１以上の緩和部に、針シャフトを備える壁に穴の把持力を減らすための中央に配置された孔が設けられることができる。針シャフトは、達成した静脈穿刺に続いてのように、後退されたときに、バルブ軸の内腔や第１のバルブ部品の壁の穴を通って、より簡単に滑らすことができる。中央に配置された孔の隣または、隣接して形成された緩和部は、患者へのカテーテルチューブの設置に続く、針を後退するときに、針においてけん引力を減らすことができる。
【０１８９】
２以上の流れ孔は、第２のバルブ部品に組み込まれることができる。近位に面する壁の表面は、バルブを開けるためにカテーテルハブの近位の開口の中に挿入されたオスの医療用器具によって押し出されるように構成されることができる。
【０１９０】
オスの医療用器具から抜け出る流体は、第２のバルブ部品の流れ孔を通って、及び／または、円周の周りに流れることができ、それから、第１のバルブ部品の流れ孔を通って流れる。
【０１９１】
突出部は、オスの医療用器具の端部表面が、平面を形成しないよう、または近位に面する壁の表面に接触して並ばないように、第２のバルブ部品の近位に面する壁の表面に提供されることができる。オスの医療用器具から放出された流体は、いくらかが円周の周りを流れることができる一方で、流れ孔を通って流れることができる。
【０１９２】
傾斜部は、第２のバルブ部品とバルブ軸の間で提供されることができる。
【０１９３】
針保護装置の遠位端は、バルブに係合することができる。
【０１９４】
２つの遠位壁のような、針保護装置の遠位端は、傾斜部においてバルブ軸を把持することができる。
【０１９５】
針保護装置の２つの腕部の遠位壁は、傾斜部においてバルブ軸を把持するために第２のバルブ部品の円周に広がることができる。
【０１９６】
第２のバルブ部品の壁は、腕部が壁に広がり、また、針保護装置の遠位壁が傾斜部においてバルブ軸を把持するように、針保護装置の２つの腕部を収容するための切り込みを有することができる。
【０１９７】
針保護装置は、針保護装置の２つの遠位壁のような、針保護装置の遠位部が、バルブを把持する一方、カテーテルハブの穴の内側に配置される大きさと形状である。
【０１９８】
針保護装置の近位壁は、カテーテルハブの穴の外側に設置されることができる。
【０１９９】
針ハブは、針装置の準備位置でカテーテルハブと係合するための覆うものまたは他の機構が設けられてもよい。
【０２００】
第２のバルブ部品は、１以上のスリットを備える、隔膜を有することができる。
【０２０１】
隔膜は、３点星と似ているＹ字形状のスリットを有することができる。
【０２０２】
隔膜は、Ｘ字形状のスリットを有することができる。
【０２０３】
１以上のスリットは、第２のバルブ部品の厚さ、バルブ軸の壁、及び第１のバルブ部品の壁を通って形成されることができる。
【０２０４】
スリットは、バルブ軸または第１のバルブ部品でなく、第２のバルブ部品のみの厚さを通って提供されることができる。
【０２０５】
１以上のスリットは、第１のバルブ部品の近位に面する壁の表面と第１のバルブ部品の遠位に面する壁の表面の両方に存在することができる。
【０２０６】
内腔は、第１のバルブ部品及びバルブ軸の長さの全てとは言わなくても大部分を通って形成されることができる。
【０２０７】
内腔は、バルブの傾斜部の周りにおいて終端することができる。
【０２０８】
隔膜を通って突き出る針シャフトは、達成した静脈穿刺に続くような、バルブから離れて後退されているとき、少なくとも隔膜における間隔または空間より大きい穴のせいで、第２のバルブ部品の内側のスリットにおいてより抵抗を受け、バルブ軸及び第１のバルブ部品の内腔においてより抵抗をうけない。
【０２０９】
バルブ受けは、カテーテルハブの穴の中にバルブを固定するためのカテーテルハブの内側に配置される、大きさと形状であることができる。
【０２１０】
バルブは、バルブ受けがなくてもカテーテルハブの内側に配置されることができる。
【０２１１】
バルブ受けは、硬い材料で作られることができる。
【０２１２】
バルブ受けは、硬いプラスチックで、またはアルミニウムまたはステンレス鋼のような金属材料で作られることができる。
【０２１３】
バルブ受けは、第１の円筒部分と、近位の方向に第１の円筒部分に取り付けられ、それから延在する、第２の円筒部分を有することができる。
【０２１４】
２つの部分がある場合、第１の円筒部分は、第２の円筒部分より大きいことができる。
【０２１５】
少なくとも１つの第１の円筒部分における長さは、第２の円筒部分における対応する長さよりも大きいことができる。
【０２１６】
第１の円筒部分の直径、深さ、または直径及び深さの両方は、第２の円筒部分の対応する寸法よりも大きいことができる。
【０２１７】
第１の円筒部分は、側壁と、近位の開口を有することができる、第２の円筒部分の穴と連通する開口を有する、端部壁を有することができる。
【０２１８】
近位の開口を画定する外周は、広がったへりを有することができる。広がったへりは、バルブ受けの中央軸の外側に半径方向に広がることができる。
【０２１９】
広がった部分または面は、とがった端部を防ぎ、ルアーの挿入の間のバルブの動作を滑らかにすることができる。
【０２２０】
内側に広がる縁またはフランジは、遠位の開口を画定するための第１の円筒部分の側壁から伸びることができる。遠位の開口は、側壁の外側の直径よりも小さいことが可能な、開口の大きさを有する。
【０２２１】
縁は、第１のバルブ部品をとどめておくために側壁を備える肩部を作り出す。
【０２２２】
第１の円筒部分は、第１のバルブ部品を収容するための保持空間を有することができ、そして、第２の円筒部分は、バルブのバルブ軸を収容するための保持空間を有することができる。
【０２２３】
複数の流れ孔は、第１の円筒部分の端部壁に設けられることができる。
【０２２４】
８つの流れ孔は、流れ孔の増減が予期される、端部壁に設けられることができる。
【０２２５】
流れ孔は、端部壁の開口の周りにお互いから均等に間隔を空けることができる。
【０２２６】
流れ孔は、開口の周りにお互いから均等に間隔を空けなくてもよい。
【０２２７】
バルブ受けの流れ孔は、第１のバルブ部品に流れ孔と一列に並ばなくてもよい。
【０２２８】
第１のバルブ部品の近位に面する壁の表面の複数の流れ孔の開口は、第１の円筒部の内側壁表面に接し、または隣接し、及び壁の流れ孔と一列に並ばなくてもよい。
【０２２９】
バルブ受けの流れ孔の開口は、バルブの第２のバルブ部品の近位に面する壁の表面に接することができる。２つの間の接触は、さらに、第１の円筒部の内部壁の表面に対して、第１のバルブ部品の近位に面する壁の表面を押しつけるために、第１のバルブ部品の遠位に面する壁の表面に対して押すための第１の円筒部分の縁によって押しつけられることができる。
【０２３０】
バルブがバルブ受けの内側に取り付けられたとき、第１のバルブ部品と内部壁の表面の両方の流れ孔は、流体が、端部壁の内部壁の表面に接触している流れ孔と第１のバルブ部品の壁表面に接触する端部壁の流れ孔の開口によって、近位の方向から遠位の方向へまたは遠位の方向から近位の方向へ流れることができないように、それらにわたって、流れることができないように閉塞されることができる。
【０２３１】
バルブ受けの流れ孔とバルブの流れ孔を通る流体の流れは、表面接触及び流れ孔の２つの一組の脱整列形態によって閉鎖されるかもしれない。
【０２３２】
流体の流れは、完全に閉鎖され、または、わずかな漏出のような、流れが少ない量であることができ、流れ孔の開口が、バルブ受けの内部の壁の表面に接するとき、貫通することができる。
【０２３３】
流体の流れは、流れ孔の開口が、内部壁の表面から離れて第１のバルブ部品を曲げるためのオスの医療用器具と一緒に、遠位の方向へ第２のバルブ部品を押し出すことのような、端部壁の内部壁の表面から離れるように押し出されるとき、許されることができる。
【０２３４】
側壁の外部表面は、平坦でない外側の表面を作り出すための、突起、経路、または凹部が設けられることができる。平坦でない外側の表面は、カテーテルハブの内部壁の表面とバルブ受けの側壁の間を流れるための、ガス抜きを可能にすることができる。
【０２３５】
バルブ受けは、複数のスロットまたはスリットを組み込むことができる。
【０２３６】
それぞれのスロットは、第１の円筒部分の複数の表面を通過することができる。
【０２３７】
それぞれのスロットは、内側の縁、側壁、及び端部壁を通過することができる。
【０２３８】
それぞれのスロットは、完全に内側の縁と側壁の長さと幅の大きさを通過することができる。
【０２３９】
スロットは、穴へ通じる端部壁の開口の周りまで、端部壁の、実質的に直径の一部のような、実質的な大きさを通過することができる。
【０２４０】
それぞれのスロットは、端部壁の一部のみ通過し、穴の開口には遠く及ばなくてもよい。
【０２４１】
４つのスロットは、組み込まれることができる。スロットの数は、４つより多く、または、４つより少なくすることができる。
【０２４２】
スロットにより、第１の円筒部分の構造は、バルブの第１のバルブ部品が第１の円筒部分の保持空間に圧入されることができるように、曲がることができる。
【０２４３】
スロットにより、組み立てられたバルブシステムは、また、カテーテルハブの内部空洞の中に取り付ける間、簡単に曲がることができ、それによって、現在スロットされているバルブ受けを備えるバルブシステムは、単一のハブ本体の形態とともに使われることができる。
【０２４４】
現在スロットされているバルブ受けを備えるバルブシステムは、２つの部分カテーテルハブ本体とともに使われてもよい。
【０２４５】
スロットが組み込まれたとき、流れ孔の少しは、スロットが含まれないときより端部壁に形成されることができる。
【０２４６】
４つの流れ孔は、端部壁に提供されることができる。しかしながら、４つの流れ孔より少なくまたは４つの流れ孔より多くが含まれることができる。
【０２４７】
第１の円筒部分におけるスロットと流れ孔は、バルブシステムが閉じられた位置にあるとき、第１のバルブ部品の流れ孔のいずれかと整列していなくてもよい。
【０２４８】
穴と一緒の縦方向に走る１以上の縦のスロットは、第２の円筒部分に組み込まれることができる。
【０２４９】
第２の円筒部分のスロットは、バルブ受けの中のバルブの組み立てを容易にするために含まれることができる。
【０２５０】
２つのスロットのみが組み込まれ、また、さらなる流れ孔が端部壁に組み込まれることができる。
【０２５１】
バルブ受けの流れ孔とバルブの流れ孔は、一列に並んでいなくてもよい。
【０２５２】
流体は、バルブシステムが閉じられた位置にあるとき、流れなくてもよく、流れ孔の２つの組にわたって制限されてもよい。
【０２５３】
バルブの第２のバルブ部品の流れ孔は、バルブ受けから間隔を空けることができ、第１のバルブ部品から間隔を空けることができる。
【０２５４】
バルブ受けの流れ孔は、間隔によって、第２のバルブ部品の流れ孔から間を空けることができる。間隔は、バルブ軸の長さまたはその増加であることができる。
【０２５５】
第１のバルブ部品の流れ孔は、間隔によって、第２のバルブ部品の流れ孔から間を空けることができる。間隔は、バルブ軸の長さまたはその増加であることができる。
【０２５６】
バルブ受けの第２の円筒部分の穴は、バルブ軸がオスの医療用器具によって圧縮されるとき、さらに容易に動くことができるために、バルブ軸の外側を隙間に提供するような、大きさと形状であってもよい。
【０２５７】
隙間は、バルブ軸が圧縮または曲げに耐えるべき、第２のバルブ部品がオスの医療用器具によって遠くに押されるとき、伸長及び／または偏向するためにバルブ軸のための余裕を提供することができる。
【０２５８】
バルブ軸は、伸長及び／または偏向せずに、第１のバルブ部品に遠位の方向への力を移動することができる。
【０２５９】
第２のバルブ部品は、バルブ受けへバルブの取り付けの間、第２の円筒部分の穴を通って、強く押されるように、十分に柔軟であってもよい。
【０２６０】
第２のバルブ部品は、取り付けを容易にするためのスロットまたは間隔を組み合わせてもよい。
【０２６１】
細長い棒のような、硬い熱可塑性物質は、第２のバルブ部品がバルブを稼働するためのオスのルアーの先端によって押されることができるように、硬さを加えるために、共成形、インサート成形によって、または、成形後の間のような、第２のバルブ部品に加えられてもよい。
【０２６２】
肩部に対して、カテーテルハブの内側に固定される軸方向に保持されたバルブシステムを稼働するために、オスのルアーアダプタまたは注射器の先端のような、オスの医療用器具は、第２のバルブ部品の近位に面する壁の表面を押すために、カテーテルハブの近位の開口の中に挿入されることができる。
【０２６３】
第２のバルブ部品は、オスの医療用器具の先端の端部表面によって押されるような、大きさと形状である壁を有することができる。例えば、円周近くの外側表面は、遠位の方向に第２のバルブ部品を進めるためのオスの医療用器具の先端によって、隣接されるような、大きさと形状であることができる。
【０２６４】
十分に遠位に向けられた力が、第２のバルブ部品に与えられるとき、力は、バルブ軸を遠位の方向に進め、力を第１のバルブ部品へ移すことができる。
【０２６５】
第１のバルブ部品の壁が弾性であってもよいので、与えられた力で曲がり、遠位の方向で軸方向に、しなる。
【０２６６】
第１のバルブ部品がバルブ受けの縁によって、その外側の外周の周りにとどめられるので、壁は、遠位の方向に中央に配置された孔において、または近くに、より容易に曲がる。
【０２６７】
壁の曲がりは、間隔または空間を作り出すためのバルブの近位に面する壁の表面とバルブ受けの内部壁の表面の間を分離することをもたらす。
【０２６８】
バルブの近位に面する壁の表面とバルブ受けの内部壁の表面の間の間隔と空間によって、バルブシステムは開けられた位置にあることができる。
【０２６９】
第１のバルブ部品の曲がりは、第２のバルブ部品に遠位に向けられる力によって、少なくとも一部に引き起こされることができる。
【０２７０】
流体がオスの医療用器具の先端から外へ放出されると、流体は、始めに第２のバルブ部品の流れ孔を通って、それからバルブ受けの流れ孔を通って、それから間隔を通り及び第１のバルブ部品の流れ孔を通って、そしてそれから最終的には、カテーテルチューブを通って、そして患者に入るように流れることができる。
【０２７１】
バルブシステムが開けられた位置になるとすぐに、患者からサンプルが、注射筒の中に真空を作り出すために、注射器のプランジャに後退することでのように、オスの医療用器具において真空を発生することによって、バルブを通って引き出されることができる。
【０２７２】
バルブシステムを閉じるために、オスの医療用器具は、始めにカテーテルハブの近位の開口から離れて、近位の方向に後退されることができる。
【０２７３】
バルブが弾性であり、またその外側の外周がバルブ受けの縁によってとどめられているときであって、壁は、いくらかの外部の力によって負荷を掛けられていないとき、その少ない曲げられた状態またはその通常の状態に戻る。
【０２７４】
バルブは、開けられた状態または位置から閉じられた状態または位置へバルブシステムを動かすように、曲げられた位置から、その曲がりが少ない状態へ動くことができる。
【図面の簡単な説明】
【０２７５】
【図１】本開示の針装置の断面側面図である。
【図１Ａ】保護位置における針装置の先端を覆う図１の針保護装置の側面図である。
【図２】明確にするために、針が取り除かれ、カテーテルチューブなくした図１のカテーテルハブの断面側面図である。
【図３】図１及び図２のバルブ受けを示し、バルブとバルブオープナをなくした図２のカテーテルハブの概略断面斜視図である。
【図４Ａ】開けられた位置における図１、及び２のバルブの概略斜視図である。
【図４Ｂ】閉じられた位置における図１、及び２のバルブの概略斜視図である。
【図５】図１及び図２のバルブオープナの概略斜視図である。
【図６Ａ】閉じられた位置において示された図２のカテーテルハブの部分断面側面図である。
【図６Ｂ】開けられた位置において示された図２のカテーテルハブの部分断面側面図である。
【図６Ｃ】バルブを稼働するために開口近位端の中に挿入されたオスの医療用器具を備える図６Ｂのカテーテルハブの部分断面側面図である。
【図７Ａ】閉じられた位置におけるバルブシステムを示す、本開示のさらなる態様による針装置の、概略断面斜視図である。
【図７Ｂ】閉じられた位置におけるバルブシステムを示す、本開示のさらなる態様による針装置の、断面側面図である。
【図８Ａ】開けられた位置におけるバルブシステムを示す、図７Ａ及び７Ｂの針装置の、概略断面斜視図である。
【図８Ｂ】開けられた位置におけるバルブシステムを示す、図７Ａ及び７Ｂの針装置の、断面側面図である。
【図９Ａ】図７Ａ及び７Ｂのバルブのさまざまな視点の図である。
【図９Ｂ】図７Ａ及び７Ｂのバルブのさまざまな視点の図である。
【図９Ｃ】図７Ａ及び７Ｂのバルブのさまざまな視点の図である。
【図１０Ａ】図７Ａ及び７Ｂのバルブ受けのさまざまな視点の図である。
【図１０Ｂ】図７Ａ及び７Ｂのバルブ受けのさまざまな視点の図である。
【図１０Ｃ】図７Ａ及び７Ｂのバルブ受けのさまざまな視点の図である。
【図１０Ｄ】本開示の態様によって提供される、代わりのバルブ受けを示す。
【図１０Ｅ】本開示の態様によって提供される、代わりのバルブ受けを示す。
【図１１Ａ】閉じられた位置における、図７Ａ及び７Ｂのバルブシステムの概略断面斜視図である。
【図１１Ｂ】開けられた位置における、図７Ａ及び７Ｂのバルブシステムの概略断面斜視図である。
【発明を実施するための形態】
【０２７６】
本発明の装置、システム及び方法の、これらの及び他の特徴及び利点は、同じものが、本明細書、特許請求の範囲、及び添付された図面を参照することによって、より理解されるように、理解されるであろう。
【０２７７】
添付された図に関連した下記に記載された詳細な説明は、本部品、システム及び方法の態様によって提供される針装置の現在好ましい実施形態の記載のつもりであり、本装置、システム、方法は、構成され、利用されるかもしれない形態のみ示すとは意図されない。説明は、描かれた実施形態に関連する本部品、システム及び方法の実施形態を構成する及び使うための、機構及びステップを記載する。しかしながら、同じまたは同等の機能及び構造は、本開示の精神及び範囲の中に包含されることも意図される、異なる実施形態によって達成されてもよいことが理解されるべきである。本明細書のどこかで表示されるように、似た要素の番号は似たまたは同類の要素または機構を指し示すことを意図する。
【０２７８】
図１を今参照すると、本開示の態様によって提供される、針を覆うカテーテル部品またはＩＶカテーテル部品のような、針装置１００の断面側面図が示されている。針装置１００は、針ハブ１０２、針１０４、カテーテルハブ１０６、及びカテーテルチューブ１０８を備える。針１０４は、カテーテルチューブの遠位端の外に延在する、針の先端を備えるカテーテルハブ及びカテーテルチューブを通って、針ハブ１０２の先端部分から、遠位に突き出る。針ハブ１０２は、フラッシュバックチャンバと開口を有し、開口は、液口栓によって閉じることができる。バルブ１１２とバルブ受け１１６を備えるバルブシステム１４２は、カテーテルハブ１０６の内部空洞１２０に配置される。バルブシステム１４２は、さらに、バルブオープナまたはバルブ作動装置１１４を含むことができる。任意に、針保護装置１２２も提供される。図示されるように、針保護装置１２２は、穴１１８を画定する、カテーテルハブ１０６の内部空洞１２０の内側に配置される。針保護装置１２２は、バルブ作動装置１１４の２つの脚部１３２ａ、１３２ｂの間に配置される。前記とは違って、針保護装置１２２は、２つの脚部１３２ａ、１３２ｂの間に組み込まれたときで、カテーテルハブ１０６の内に配置されたとき、バルブオープナ１１４と一緒の軸方向に沿って重なる部分を有する。例えば、針保護装置１２２は、連続的に、バルブ作動装置１１４とともに配置されず、針保護装置とバルブ作動装置の部分が軸方向に沿って重なるように、２つの脚部１３２ａ、１３２ｂの間に配置される。針保護装置１２２は、米国特許第６，６１６，６３０に開示された針保護装置と同様であってよい。針保護装置は、針の先端と、その貫通する針１０４を有する近位の開口を画定する、外周を備える近位の壁を閉鎖するための遠位の壁と共にそれぞれ２つの腕部１２４ａ、１２４ｂを有する。針は、外形１２８の変化を有する。外形１２８は、患者の静脈の中にカテーテルチューブ１０８の設置に続く近位の開口と一体の外周と連動するために、ひだ、出っ張り、スリーブ、または材料の積み重ねであることができる。いくつかの実施例において、針保護装置は除外される。組み込まれたとき、針保護装置１２２は、カテーテルハブと針ハブの間に収容している、覆いまたは分離したハブの中のように、完全にカテーテルハブ１０６の内側に、部分的のみカテーテルハブ１０６の内側に、または、完全にカテーテルハブの外側に、配置されることができる。
【０２７９】
図１Ａは、達成した静脈穿刺に続くように、２つの遠位の壁９０ａ、９０ｂによって覆われた針の先端１１０と一体の図１の針１０４と針保護装置１２２の部分側面図を示し、そして、針１０４と針ハブは、カテーテルハブとカテーテルチューブから後退される。２つの遠位の壁９０ａ、９０ｂは、それぞれ、曲がったへり９２ａ、９２ｂを含むことができ、また、単純に、まっすぐな端部で終端することができる。針の外形１２８の変化は、近位の壁１２６、及びさらに特には、近位の壁の開口を画定する外周に隣接していることが示される。示される実施例において、２つの腕部１２４ａ、１２４ｂは、針の先端１１０は、針の保護装置１２２によって覆われている、準備位置（図１）及び図１Ａの保護位置の両方において図１Ａの側面に沿う視点のとき、お互いに交差する。他の実施例において、２つの腕部１２４ａ、１２４ｂは、近位の壁１２６から軸方向に延在し、そして交差しない。さらなる他の実施例において、単一の腕部のみが組み込まれる。２つの腕部１２４ａ、１２４ｂの肘部９４ａ、９４ｂは、針が、準備位置において、２つの曲がったへり９２ａ、９２ｂの間に設置されているとき、２つの腕部を外側に付勢する、針によって助力された、準備位置にカテーテルハブ１０６の内部空洞の内側に、突出部１３６に連動することができる。達成した静脈穿刺に続く針の後退の間、針の先端１１０は、２つの遠位の壁９０ａ、９０ｂの近くに動き、２つの遠位の壁により、２つの腕部が針の先端を覆うために半径方向に動くことができる。そして外形１２８の変化は、近位の壁１２６に開口を画定する外周と連動する。さらに、針の近位の動作は、図１Ａに示されているように、カテーテルハブの内部空洞と、針保護装置によって覆われた針の先端から、針保護装置１２２を取り除く。
【０２８０】
図２は、達成した静脈穿刺に続くような、針ハブ１０２、針１０４、及び針保護装置１２２を除去できた後の、図１の針装置１００を示す。カテーテルハブ１０６は、明確のために、カテーテルチューブ１０８をなくして示されている。カテーテルハブ１０６は、針の挿入または取り除きの間、押すことのように、装置１００を取り扱うとき、てこのように使われてもよい、メスのルアー、外部糸１３２、及びつまみ１３１の中に開ける近位の開口１３０を有する。バルブオープナ１１４は、端部プレート１３４に接続された、２つの間隙を介して、隔たる脚部１３２ａ、１３２ｂを含んでもよい。２つの間隙を介して、隔たる脚部１３２ａ、１３２ｂは、さらに以下に議論されるように、オスの医療用器具が、バルブ１１２を開けるために遠位にバルブオープナ１１４を進めるために、近位の開口１３０の中に挿入されるとき、注射器型またはオスのルアーアダプタのような、オスの医療用器具によって接して隣接するための近位端表面１３５ａ、１３５ｂを有する。任意に、１つの脚部のみまたは１以上の脚部が組み込まれる。任意に接続する部品は、支持を提供するためのように、お互いに対して２以上の脚部を固定するために使われてもよい。いくつかの実施例において、カテーテルハブの内部壁の表面１４０は、少なくともそれぞれの脚部の一部が細長い凹部に配置されるように、２つの脚部１３２ａ、１３２ｂを収容するための細長い凹部を有することができる。この任意の機構は、脚部１３２ａ、１３２ｂが相対的に厚く、カテーテルハブの壁の表面に形成された凹部が少なくともいくらかの厚さを収容することができるとき、実行されることができる。２つの近位端表面１３５ａ、１３５ｂの各部のような、細長い凹部に設置されていない脚部１３２ａ、１３２ｂの各部は、オスの医療用器具によって押し出されるように、バルブを開けるために続いて使われることができる。図１に示されているように、２つの脚部１３２ａ、１３２ｂは、カテーテルハブの内部壁の表面及び針保護装置１２２の２つの側面の間に画定された空間に沿って通る。
【０２８１】
より大きい第２の内部直径の隣に設置された第１の内部直径によって画定されている、突出部１３６は、図１に示されている使用準備位置において針保護装置１２２をとどめておくため及び達成した静脈穿刺に続く、針の後退の間に針保護装置１２２をとどめておくために、内部空洞１２０に提供されている。突出部１３６は、２つ以上の間隙を介して、隔たる部分を備え、そして、針保護装置１２２は、使用準備位置において、突出部１３６の２つ以上の間隔を空けられた部分に係合することができる。突出部１３６の間隔を空けられた部分の間の間隔により、バルブ作動装置１１４の２つの脚部１３２ａ、１３２ｂは、突出部１３６ａの遠位位置から、突出部の近位位置へまたはその逆に、延在することができる。さらに、バルブ作動装置１１４の２つの脚部１３２ａ、１３２ｂは、近位方向における突出部の部分の間の２つの間隔を通って、遠位点から延在することができる。示されているように、バルブオープナ１１４の端部プレート１３４は、バルブ受け１１６の遠位に配置される。バルブ受けは、穴１１８の内側のバルブ１１２をとどめるために、カテーテルハブ１０６の内部壁の表面１４０に固定される。バルブ受け１１６はまた、カテーテルハブの内側にバルブオープナ１１４をとどめることもできる。示されているバルブ１１２は、空洞の内部を有する、バルブ軸１４８によって、第２のバルブ部品１４６に接続される第１のバルブ部品１４４を有する。実施例において、第１のバルブ部品１４４は、端部プレート１３４の遠位に設置され、端部プレートは、バルブ受け１１６の遠位に設置され、バルブ受けは、第２のバルブ部品１４６の遠位に設置される。配置のように、遠位の方向の脚部の動作は、端部プレートに、バルブ軸１４８を引き寄せるために、第２のバルブ部品１２６の遠位に設置された、第１のバルブ部品１４４を押し出させる。バルブ軸は、第１のバルブ部品とバルブ軸の近位に設置された、第２のバルブ部品１４６を、偏向させ、それから、バルブシステムを通って、流体の流れを許す。
【０２８２】
今、図３を参照すると、図２のカテーテルハブ１０６の切り取り概略斜視図が、明確性のために、バルブ１１２とバルブオープナ１１４をなくして示されている。バルブ受け１１６は、穴１１８の内側にくさびで留められていることが示されている。バルブ受け１１６は、近位に面する壁の表面５２ａ、遠位に面する壁の表面５２ｂ、外側の外周１５０、及び厚さを備える、壁５０を有する。バルブ受け１１６は、突出部１３６の遠位にくさびで留められている。示されているように、バルブ受け１１６は円盤形状を具体化している。バルブ受け１１６は、熱可塑性物質材料のような曲げられる材料で作られてもよい。そのような材料により、端部プレート１３４の円盤は、突出部１３６の遠位に適合するために変形することができる。いくつかの実施例において、突出部１３６は、除外され、そして、針保護装置１２２は、バルブシステムと連動し、近位の壁の近くのカテーテルハブの内部表面と連動するための、近位の壁の近くのスプリングフィンガを用いることによって、適所に保たれているような、異なる手段によって、準備位置にとどめられる。凹部、肩部、または他の保持表面は、カテーテルハブ１０６の内部空洞１２０の中のバルブ受け１１６を固定するためにカテーテルハブ１０２の穴１１８に提供されてもよい。
【０２８３】
バルブ受け１１６は、少なくとも２つ以上の流れ孔のような、複数の流れ孔１５２と、使用準備位置において、バルブ軸１４８（図１）を収容するための、少なくとも１つの中央に配置された孔１５４を有する。中央に配置された孔１５４は、好ましくは、複数の流れ孔１５２よりも直径が大きい。複数の孔１５２、１５４は、さらに以下で使われないように、流体の流れが、それらにわたって流れることを許すように構成される。１つの実施例において、バルブ受け１１６は８つの孔１５２と、中央に配置された孔１５４を組み込むことができる。しかしながら、８つより多い流れ孔または８つより少ない流れ孔が予期される。流れ孔１５２は、中央に配置された孔１５４の周りに均等に間隔を空けられてもよい。バルブ受け１１６は、バルブ作動装置１１４に、２つの脚部１３２ａ、１３２ｂ（図１）を収容するために、スロット１５６ａ、１５６ｂを含むことができる。これは、２つの脚部１３２ａ、１３２ｂがバルブ受け１１６に広がり、及びカテーテルハブ１０６の近位の開口１３０に向かって終端することができる一方で、バルブ受け１１６の遠位のバルブオープナ１１４の端部プレート１３４の取り付けを可能にさせる。実際には、バルブ１１２、バルブオープナ１１４、及びバルブ受け１１６を含む、本実施の形態のバルブシステム１４２は、始めに図２に示される順に組み立てられ、それから、ユニットのように、内部空洞１２０の中に一緒に入れられる。別の実施例において、カテーテルハブ１０６は、それらの間で継ぎ目とともに、２つの部分のハブの本体で作られる。バルブシステム１４２は、２つの部分のハブ本体と、それから溶接や接着することによってのように、バルブシステムの内側に一緒に固定される２つの分離したハブ部品の間に設置されてもよい。２つの部分のハブ本体のための継ぎ目は、組み立てられたとき、カテーテルハブのルアーの先細り部の遠位であることができる。２つの部分のハブ本体が、超音波溶接、接着、またはその組み合わせによってのように、溶接されることができる。実施例において、２つの部分のハブ本体の継ぎ目は、バルブシステム１４２及び／またはバルブ作動装置１１４の組み立てを容易にするために選択される。
【０２８４】
図４Ａを今、参照すると、本開示の態様によるバルブ１１２は、図１に示されるような、そこを通って突き出る針を有する時のような、開けられた位置における隔膜１６０とともに示される。第１のバルブ部品１４４は、きのこ頭と同じようである、半球形状頭を具体化して示される。半球形状頭は、一般的に平らなまたは平坦な下側表面１６２と丸まったまたは球体の上側１６４を有し、半球体頂上またはきのこ頂上とも呼ばれてもよい。別の実施例において、第１のバルブ部品の先端は、矢と同じように、狭いことができる。先端は、バルブ受け１１６と端部プレート１３４の中央に配置された孔１５４を通って適合することができるものが提供される他の形状を具体化することができる。第２のバルブ部品１４６は、近位に面する壁の表面１６８ａ、遠位に面する壁の表面１６８ｂ、円周１６８ｃ、及び厚さを備える壁の表面１６６を備える円盤を具体化することができる。いくつかの実施例において、第２のバルブ部品１４６の円周１６８ｃは、カテーテルハブ１０６の内部の壁の表面１４０を封止するための大きさと形状であることができ、そして、第２のバルブ部品１４６は、バルブオープナ（図５）の２つの脚部１３２ａ、１３２ｂを収容するための２つのスロットが設けられることができる。それゆえ、第２のバルブ部品１４６の直径は、２つの脚部を収容するための第２のバルブ部品１４６に提供されるスロットと一体の２つの脚部１３２ａ、１３２ｂの間の間隔より広いことができる。突起、突出部、凹部、及び他の表面の形状は、表面のでこぼこを作り出すための円周１６８ｃの外部の表面に組み込まれてもよい。表面のでこぼこは、気体を抜くための流れ道として役目を果たすことができる。実施例において、円周の表面は、近位に延在するときに、内側に先細りする、または円周は、一般に一定の外側の直径を有することができる。
【０２８５】
バルブ軸１４８は、第１のバルブ部品１４４の平らな下側表面１６２と第２のバルブ部品１４６の遠位に面する壁の表面１６８ｂに接続されることができる。バルブ軸１４８は、前に記載されたように、空洞であることができ、そして、穴の１つの端部における隔膜１６０と、半球体頂上１６４を通るような、他の端部における開口を含むことができる。バルブ１１２は、シリコン材料のような、弾性材料で作られてもよく、そして、好ましくは弾性である。例えば、遠位に面する表面１６８ｂを支持すること、及び第２のバルブ部品１４６を引き寄せるための遠位の方向へ平らな下側表面１６２を押し出すことによってのような、バルブ１１２が外部力によって伸ばされるとき、第２のバルブ部品１４６の壁表面１６６は、相互作用することができる。さらに下記に議論されるように、壁の表面１６６は、バルブ軸１４８によって引く力に応じて曲がりまたは偏向することができる。
【０２８６】
図４Ｂは、針１０４が、図２に示されるように、バルブから取り除かれるときのように、閉じられた位置の隔膜１６０を備えるバルブ１１２を示す。閉じられた位置において、隔膜１６０において、１以上の蓋部を形成する１以上のスリット１７０は閉じられ、それゆえ、第２のバルブ部品１４６からバルブ軸１４８の内腔に通じる開口を閉じる。スリット１７０は、３点星のように示される。他の実施例において、スリットは、単一のまっすぐなスリットまたはＸ字形スリットのような、他の形状を有することができる。
【０２８７】
図５は、本開示の典型的なバルブオープナ１１４を示す。バルブオープナ１１４は、プラスチック材料で作られてもよく、および端部プレート１３４及び２つの間隔を介して、隔たる脚部１３２ａ、１３２ｂとともに一元的に形成されることができる。端部プレート１３４は、近位に面する壁の表面１７６ａ、遠位に面する壁の表面１７６ｂ、円周１７６ｃ、及び厚さを備える壁の表面を有する。端部プレート１３４は、円盤形状と、複数の流れ孔１５２及び中央に配置された孔１５４を含む、複数の孔を有することができる。実施例において、端部プレート１３４とバルブ受け１１６（図３）の中央に配置された孔は、カテーテルハブ１０６の内側に配置されたとき、一列に並べられる。別の実施例において、端部プレート１３４とバルブ受け１１６（図３）の流れ孔１５２は、カテーテルハブ１０６の内側に配置されたとき、一列に並べられる。さらなる他の実施例において、端部プレート１３４とバルブ受け１１６（図３）の中央に配置された孔１５４のみが、カテーテルハブ１０６の内側に配置されたとき、一列に並ぶ。流れ孔１５２は、端部プレート１３４とバルブ受け１１６の両方の中央に配置された孔１５４の周りに均等に間隔を空けられてもよい。他の実施例において、流れ孔は、中央に配置された孔の周りに無作為に配置されることができる。
【０２８８】
バルブ１１４のバルブ軸１４８は、端部プレート１３４とバルブ受け１１６の一列に並べられた中央に配置された孔１５４に広がる、大きさと形状であることができる。実施例において、柔軟で、圧縮できる、バルブ１１２の半球体頂上またはきのこ頭１６４は、始めに、バルブ受け１１６の中央に配置された孔１５４を、そしてそれからバルブオープナ１１４の端部プレート１３４の中央に配置された孔１５４を押し通る。第１のバルブ部品１４４は、また、端部プレート及びバルブ受けの中央に配置された孔１５４を通り抜けるのに役立つためにスロットに入れられることができる。図１及び２に示されるように、第２のバルブ部品１４６の遠位に面する壁の表面１６８ｂは、バルブ受け１１６の近位に面する壁の表面５２ａに面するであろう。また、半球体頂上１６４の平らな下側の表面１６２は、バルブシステムがカテーテルハブの内側に取り付けられたとき、バルブオープナの端部プレート１３４の遠位に面する壁の表面１７６ｂに面するであろう。端部プレートの近位に面する壁の表面１７６ａは、バルブシステム１４２（図２）が組み立てられたとき、バルブ受け１１６の遠位に面する壁の表面５２ｂに面する。それゆえ、本バルブシステム１４２は、２つのバルブ部品１４４、１４６の間に設置された、分離して形成され及び続いて組み立てられたバルブ受け１１６と端部プレート１３４をとともに、第２のバルブ部品１４６から間隔を空けられた第１のバルブ部品１４４を有することができる。実施例において、バルブ軸１４８は、バルブ受け１１６と端部プレート１３４の中央に配置された孔１５４に広がることができ、そして、バルブ軸１４８は、第１のバルブ部品１４４と第２のバルブ部品１４６に、２つの端部において接続される。バルブ軸の外側の直径は、第１のバルブ部品１４４及び第２のバルブ部品１４６の両方の外側の直径より小さい。具体的な実施例において、バルブ軸１４８は、穴または内腔１８０（図６Ａ）を有し、及び、第２にバルブ部品１４６は、隔膜１６０を有する。実施例において、隔膜１６０は、バルブ軸１４８の内腔１８０（図６Ａ及び６Ｂ）を貫通する、針を受けるために開けられることができる、複数のスリット、例えば、１以上のスリット、を有する。バルブオープナ１１４は、バルブ受け１１６の２つのスロット１５６ａ、１５６ｂに広がる２つの脚部１３２ａ、１３２ｂによって、バルブ受け１１６に対して回転可能でない。しかしながら、２つのスロット１５６ａ、１５６ｂは、少なくともいくつかの相対的な回転が起こることができるように、拡大されることができる。第２のバルブ部品１４６の円周１６８ｃは、２つの脚部１３２ａ、１３２ｂの間になるように構成される。前記違いにおいて、２つの脚部１３２ａ、１３２ｂは、それらの間に、第２のバルブ部品１４６の円周を収容するために、十分な広さである間隔を有する。
【０２８９】
図６Ａは、達成した静脈穿刺に続くような、針１０４、針ハブ１０２、及び針保護装置１２２の取り除きに続く、図１の針装置１００を示す。示されるように、バルブシステム１４２は、閉じられた位置である。例えば、第２のバルブ部材１４６の遠位に面する壁の表面１６８ｂは、バルブ受け１１６の近位に面する壁の表面５２ａに対して、停止または隣接することができる。バルブ受けは、バルブ受け１１６の流れ孔１５２とバルブオープナ１１４の端部プレート１３４の流れ孔１５２を通るまたはそこからの流体を、閉塞できまたは閉鎖できる。それゆえ、ＩＶ源のような、遠位に流れる流体は、流れ孔１５２を閉鎖するバルブ１１２の壁の表面１６６によって防がれる。血流のような、近位の方向に流れる流体は、また、流体圧が近位の方向にバルブ１１２の壁の表面１６６を偏向するために十分に高くない限り、壁の表面１６６によって、閉鎖される。それゆえ、本開示の別の態様は、近位の方向に流体の流れを可能にするまたは制限するための、適切な厚さ、材料の種類、またはデュロメータを選択することによってのように、バルブ１１２と第２のバルブ部材１４６の弾性を制御することの提供である。材料の硬さもまた、稼働されたときに、バルブ１１２を開けるために必要とされる緩みまたは強制を決定するために選択されることができる。図６Ａのバルブが閉じられた位置において、バルブ受け１１６と端部プレート１３４は、ゼロから数ミリメートルのわずかである、お互いに第１の距離で間隔を空けられる。２つは、図６Ｂを参照して、さらに以下に議論されるように、バルブシステム１４２が開けられた位置であるとき、第１の距離より大きい、お互いに第２の距離で間隔を空けられる。図６Ａのバルブが閉じられた位置においても、第１の端部部品１４４の平らな下側表面１６２と第２のバルブ部品１４６の円周１６８ｃは、お互いに第１の距離で間隔を空けられる。平らな下側表面１６２と円周１６８ｃは、図６Ｂを参照して、さらに以下に議論されるように、バルブシステム１４２が開けられた位置であるとき、第１の距離より大きい、お互いに第２の距離で間隔を空けられる。
【０２９０】
今、図６Ｂを参照すると、バルブシステム１４２は、バルブ１１２にわたって流体の流れを許すための開けられた位置が示されている。オスの医療用器具は、遠位の方向にバルブオープナ１１４の２つの脚部１３２ａ、１３２ｂを押すために、カテーテルハブ１１８（図２）の近位の開口１３０の中に挿入されることができる。この動作は、バルブオープナ１１４の端部プレート１３４、特に端部プレートの遠位に面する壁の表面１７６ｂに、遠位の方向に、第１のバルブ部品１４４の平らな下側表面１６２を押させる。これは、次に、張力をバルブ軸１４８に掛ける。バルブ軸１４８は、バルブ１１２の第２のバルブ部品１４６に取り付けられ、張力は、第２のバルブ部品１４６の遠位に面する壁の表面１６８ｂを引き寄せ、第２のバルブ部品１４６の壁の表面１６６を曲げさせる。その結果として、第２のバルブ部品１４６の円周１６８ｃの近くの遠位に面する壁の表面１６８ｂは、バルブ受け１１６から持ち上がる。バルブ受けは、第２のバルブ部品１４６の円周１６８ｃの周り及び流れ孔を通って、そして、カテーテルハブの遠位端の外へ及びカテーテルチューブの中へ、遠位の方向に、流体の流れを許すために流れ孔１５２を開く。早くに示されたように、端部プレート１３４とバルブ受け１１６の間の第２の距離は、バルブの開けられた位置において増加される。平らな下側表面１６２と円周１６８ｃの間の第２の距離もまた、第２のバルブ部品１４６の曲がる壁の表面１６６によって増加される。オスの医療用器具が、カテーテルハブ１０６の近位の開口１３０から取り除かれるとき、バルブ１１２の弾性は、図６Ａに示されるように、そのより緩和した状態に戻り、そして、その閉じられた位置へバルブシステム１４２を戻す。
【０２９１】
図６Ｃは、カテーテルハブ１０６の開口近位端１３０に配置された、オスのルアーアダプタ３００とともに示される、図６Ｂの部品の概略の断面側面図である。オスのルアーアダプタ３００は、カテーテルハブ１０６のメスのルアーの中に突き出て、遠位の方向にバルブ作動装置１１６を進めるための２つの脚部１３２ａ、１３２ｂの近位端の表面１３５ａ、１３５ｂを押す、ルアーの先端３０２を備える本体３０６を有する。先端３０２は、流体が先端を通って注ぐことができ、または先端を超える遠位開口を有する。図６Ｂを参照して、以前に議論されたように、この動作は、バルブオープナ１１４の端部プレート１３４、特に端部プレートの遠位に面する壁の表面１７６ｂに、遠位の方向に、第１のバルブ部品１４４の平らな下側表面１６２を押させる。これは、次に、バルブ軸１４８に張力を掛ける。バルブ軸１４８がバルブ１１２の第２のバルブ部品１４６に取り付けられたとき、張力は、第２のバルブ部品１４６の遠位に面する壁の表面１６８ｂを引き寄せ、第２のバルブ部品１４６の壁の表面１６６を曲げる。その結果として、第２のバルブ部品１４６の円周１６８ｃの近くの遠位に面する壁の表面１６８ｂは、バルブ受け１１６から持ち上がる。バルブ受けは、第２のバルブ部品１４６の円周１６８ｃの周り及び流れ孔を通って、そして、カテーテルハブの遠位端の外へ及びカテーテルチューブの中へ、遠位の方向に、流体の流れを許すために流れ孔１５２を開く。オスのルアーアダプタ３００は、注射器、ＩＶラインのルアー先端などのような、たくさんのオスの医療用器具を示す。いくつかの実施例において、ルアーアダプタ３００は、カテーテルハブの外部の糸１３２と一体の糸を通したかみ合い物として糸を通した環を有する。
【０２９２】
図７Ａは、本開示のさらなる態様によって提供される別の針装置１００を示す。カテーテル部品であるかもしれない、針装置１００は、明確のために、カテーテルチューブ、針、及び針ハブのような、いくつかの機構をなくして示される。さらに、針保護装置が本針装置１００と組み合わされてもよいが、さらに以下に議論されるように、明確のために除外される。装置１００は、カテーテルハブ１０２の内部空洞１２０の内側にバルブシステム１４２を示している切り取り側面斜視図が示される。カテーテルハブは、オスの医療用器具を受けるための近位の開口１３０を有する。
【０２９３】
溝または突出部であることができる、保持肩部２００は、カテーテルハブの穴１１８の内側にバルブシステム１４２を設置するための、カテーテルハブ１０２の内部壁の表面１４０が設けられる。保持肩部２００は、連続する溝または突出部を備える環状の輪であることができ、または円周に沿って１以上の断絶を含むことができる。示されるように、バルブシステム１４２は、バルブ軸２０８によって一緒に接続された第１のバルブ部品２０４と第２のバルブ部品２０６を備えるバルブ２０２を備える。第１のバルブ部品２０４は、カテーテルハブの内部空洞１２０の中に、バルブシステム１４２をとどめるための、肩部２００に対して固定されるように示される。実施例において、第１のバルブ部品２０４は、バルブ受け２１０によって支持されることができ、また、バルブ受けは、肩部２００に対して固定されることができる。具体的な実施例において、バルブ受け２１０は、円周を有し、そして、バルブ受けの円周は、溝に保持され、そして、第１のバルブ部品２０４は、バルブ受け２１０の保持空間に設置される。いくつかの実施例において、カテーテルハブ１０２は、オスのルアーの先端を受けるためのメスのルアー部を有し、そして、保持肩部２００は、オスのルアーの先端へ接続を妨げることがないように、メスのルアー部の遠位に設置されることができる。いくつかの実施例において、カテーテルハブ１０２は、継ぎ目を備える２つの部分のハブで作られることができる。保持肩部２００は、２つの部分の筐体の継ぎ目に設置されることができる。例えば、２つの部分の筐体は、バルブ受けまたはバルブ部品の円周を収容するために２つの部分のハブの継ぎ目に保持肩部２００と一緒に作られることができる。バルブ受けまたはバルブ部品の円周が、保持肩部２００に設置されるとすぐに、２つの部分のハブは、溶接、接着またはその組み合わせを用いて、接合されることができる。
【０２９４】
実施例において、バルブシステム１４２のバルブ軸２０８及び／または第２のバルブ部品２０６は、オスのルアーの先端が、メスのルアー部に接続されたとき、流体の流れのためにバルブシステムを開けるために遠位の方向に第２のバルブ部品２０６と接し、また押し進むことができるように、メスのルアー部の中に設置されることができる。
【０２９５】
図７Ａ及び７Ｂに加えて、図９Ａ−９Ｃを参照すると、第１のバルブ部品２０４は、近位に面する壁の表面２１４ａ、遠位に面する壁の表面２１４ｂ、円周２１４ｃ、及び厚さを有する、壁２１２を有する。複数の流れ孔１５２は、さらに下記で議論されるように、流体の流れに流れ道を提供するための壁２１２の厚さを通って組み込まれる。実施例において、８つの流れ孔１５２が８つの流れ孔よりも多いまたは少ないことが予期されて提供される。中央に配置された孔１５４は、壁２１２を通って、およびバルブ軸２０８の内腔と連通して提供される。スリットの形で、１以上の緩和部２２０に、針シャフトを備える壁２１２に穴の把持力を減らすための中央に配置された孔１５４が設けられることができる。例えば、図１に示されるのと同じように、針がバルブ２０２を通って突き出て、針の先端がカテーテルチューブの遠位端から突き出る、使用準備位置から、針シャフトは、達成した静脈穿刺に続くように、後退されたときに、バルブ軸２０８の内腔や第１のバルブ部品２０４の壁２１２の穴を通って、より簡単に滑らすことができる。中央に配置された孔１５４の隣または、隣接して形成された緩和部２２０は、それゆえ、患者へのカテーテルチューブの設置に続いて針を後退するときに、針においてけん引力を減らすことができる。
【０２９６】
図９Ｂでさらに明確に示されているような、第２のバルブ部品２０６は、近位に面する壁の表面２２６ａ、遠位に面する壁の表面２２６ｂ、円周２２６ｃ、及び厚さを有する、壁２２４を有する。壁２２４は、第１のバルブ部品２０４の壁２１２と同じように、複数の流れ孔１５２が設けられる。実施例において、２以上の流れ孔１５２は、第２のバルブ部品２０６に組み込まれることができる。近位に面する壁の表面２２６ａは、バルブ２０２を開けるためにカテーテルハブ１０２の近位の開口１３０の中に挿入されたオスの医療用器具によって押し出されるように構成される。オスの医療用器具から抜け出る流体は、以下でさらに議論されるように、第２のバルブ部品２０６の流れ孔１５２を通って、及び／または、円周２２６の周りに流れることができ、それから、第１のバルブ部品の流れ孔１５２を通って流れる。例えば、突出部は、オスの医療用器具の端部表面が、平面を形成しないよう、または近位に面する壁の表面に接触して並ばないように、第２のバルブ部品２０６の近位に面する壁の表面２２６ａに提供されることができる。そのように提供されたとき、オスの医療用器具から放出されたいくらかの流体は、いくらかが円周２２６ｃの周りを流れることができる一方で、流れ孔１５２を通って流れることができる。
【０２９７】
図９Ｃを具体的に参照すると、傾斜部２３０は、第２のバルブ部品２０６とバルブ軸２０８の間で提供される。実施例において、針保護装置１２２（図１）の遠位端は、バルブ２０２に係合することができる。例えば、２つの遠位壁のような、針保護装置の遠位端は、傾斜部２３０においてバルブ軸２０８を把持することができる。例えば、針保護装置の２つの腕部の遠位壁は、傾斜部２３０においてバルブ軸２０８を把持するために第２のバルブ部品２０６の円周２２６ｃに広がることができる。第２のバルブ部品２０６の壁２２４もまた、腕部が壁２２４に広がり、また、針保護装置の遠位壁が傾斜部２３０においてバルブ軸２０８を把持するように、針保護装置の２つの腕部を収容するための切り込みを有することができる。図７Ａを再び参照すると、針保護装置が、組み込まれたとき、全体の針保護装置は、針保護装置の２つの遠位壁のような、針保護装置の遠位部が、バルブ２０２を把持する一方、カテーテルハブ１０２の穴１１８の内側に配置される大きさと形状である。別の実施例において、針保護装置の近位壁のような、針保護装置の一部は、カテーテルハブの穴の外側に設置されることができる。針保護装置が、部分的にカテーテルハブの外側にさらされている場合には、針ハブ１０２に、覆うものまたは針装置の準備位置でカテーテルハブと係合するための他の機構が設けられてもよい。
【０２９８】
図９Ｂと９Ｃを再び参照すると、第２のバルブ部品２０６は、１以上のスリット２２０を有する、隔膜２４０を有する。示されている実施例において、隔膜２４０は、３点星と似ているＹ字形状のスリットを有することができる。他の実施例において、隔膜は、Ｘ字形状のスリットを有することができる。１以上のスリット２２０は、第２のバルブ部品２０６の厚さ、バルブ軸２０８の壁、及び第１のバルブ部品２０４の壁を通って形成される。他の実施例において、スリットは、バルブ軸２０８または第１のバルブ部品２０４でなく、第２のバルブ部品２０６のみの厚さを通って提供されることができる。図９Ａ及び９Ｂを参照すると、１以上のスリット２２０は、第１のバルブ部品の近位に面する壁の表面２２６ａと第１のバルブ部品２０４の遠位に面する壁の表面の両方に存在する。内腔２５０は、第１のバルブ部品２０４及びバルブ軸２０８の長さの全てとは言わなくても大部分を通って形成される。示されるように、内腔２５０は、バルブ２０２の傾斜部２３０の周りにおいて終端することができる。隔膜２４０を通って突き出る針シャフトは、達成した静脈穿刺に続くような、バルブ２０２から離れて後退されているとき、第２のバルブ部品２０６の内側のスリットにおいてより抵抗を受け、バルブ軸２０８及び第１のバルブ部品２０４の内腔２５０においてより抵抗をうけないことができる。これは、ある程度は、少なくとも隔膜２４０における間隔または空間より大きい穴２５０のためである。
【０２９９】
今、図１０Ａ、１０Ｂ、及び１０Ｃを参照すると、本開示の態様によって提供されるバルブ受け２１０は、それぞれ、断面、端部斜視図、及び側面図で示される。バルブ受け２１０は、カテーテルハブの穴の中にバルブ２０２を固定するためのカテーテルハブ１０２の内側に配置される、大きさと形状であることができる。他の実施例において、バルブ２０２は、バルブ受け２１０がなくてもカテーテルハブの内側に配置されることができる。バルブ受け２１０は、硬いプラスチックで、またはアルミニウムまたはステンレス鋼のような金属材料のような、硬い材料で作られることができる。示されるように、バルブ受け２１０は、近位の方向に第１の円筒部分２１２に取り付けられ、それから延在する、第１の円筒部分２１２と第２の円筒部分２１４を有する。第１の円筒部分２１２は、第２の円筒部分２１４より大きい。これは、少なくとも１つの第１の円筒部分２１２における長さは、第２の円筒部分２１４における対応する長さよりも大きいことを意味することが理解される。示されるように、第１の円筒部分２１２の直径、深さ、または直径及び深さの両方は、第２の円筒部分２１４の対応する寸法よりも大きい。
【０３００】
第１の円筒部分２１２は、側壁２１６と、近位の開口２２４を有する、第２の円筒部分２１４の穴２２２と連通する開口２２１を有する、端部壁２１８を有することができる。近位の開口２２４を画定する外周２２６は、広がったへりを有することができる。広がったへりは、バルブ受け２１０の中央軸の外側に半径方向に広がることができる。組み込まれたとき、この広がった部分または面は、さらに以下で議論されるように、とがった端部を防ぎ、及びルアーの挿入の間のバルブ２０２（図９Ａ）の動作を滑らかにすることができる。内側に広がる縁とフランジ２２８は、遠位開口２３１を画定するための第１の円筒部分２１２の側壁２１６から伸びることができる。遠位開口は、側壁２１６の外側の直径よりも小さい、開口の大きさを有する。縁２２８は、図９Ａのバルブ２０２の第１のバルブ部品２０４をとどめておくために側壁２１６を備える肩部を作り出す。内側に、第１の円筒部分２１２は、第１のバルブ部品２０４を収容するための保持空間２３６を有し、そして、第２の円筒部分２１４は、バルブ２０２のバルブ軸２０８を収容するための保持空間２３８を有する（図９Ａ、１１Ａ、及び１１Ｂ）。
【０３０１】
図１０Ｂに最もよく示されているように、複数の流れ孔１５２は、第１の円筒部分２１２の端部壁２１８に設けられる。１つの実施例において、８つの流れ孔１５２は、流れ孔の増減が予期される、端部壁２１８に設けられる。流れ孔１５２は、端部壁２１８の開口２２１の周りにお互いから均等に間隔を空けることができる。他の実施例において、流れ孔１５２は、開口２２１の周りでお互いから均等に間隔を空けなくてもよい。図９Ａのバルブ２０２が、図１０Ａのバルブ受け２１０と連結しているとき、さらに以下で議論されるように、バルブ受け２１０の流れ孔１５２は、第１のバルブ部品２０４に流れ孔１５２と一列に並ばない。例えば、取り付けた後、第１のバルブ部品２０４の近位に面する壁の表面２１４ａの複数の流れ孔１５２の開口は、第１の円筒部２１２の内部壁の表面２４４（図１０Ｂ）に接し、または隣接し、及び壁２４４の流れ孔１５２と一列に並ばない。バルブ受け２１０の流れ孔１５２の開口はまた、バルブ２０２の第２のバルブ部品２０６の近位に面する壁の表面２１４に接する。２つの間の接触は、さらに、第１の円筒部２１２の内部壁の表面２４４に対して、第１のバルブ部品２０４の近位に面する壁の表面２１４ａを押しつけるために、第１のバルブ部品２０４の遠位に面する壁の表面２１４ｂを押すための第１の円筒部分２１２の縁２２８によって押しつけられる。それゆえ、バルブ２０２がバルブ受け２１０の内側に取り付けられたとき、第１のバルブ部品と内部壁の表面の両方の流れ孔１５２は、閉塞され、及び流体が、端部壁２１８の内部壁の表面２４４に接触している流れ孔１５２と第１のバルブ部品の壁表面に接触する端部壁の流れ孔の開口によって、近位の方向から遠位の方向へまたは遠位の方向から近位の方向へ流れることができないように、それらにわたって、流れることができない。バルブ受け２１０の内側で、閉じられた位置に設置されているバルブ２０２は図７Ｂ、１１Ａ及び１１Ｂにさらに明確に示されている。示されているように、バルブ受け２１０の流れ孔１５２とバルブ２０２の流れ孔１５２を通って流れることを試みる流体の流れ（矢印によって示されている）は、表面接触及び流れ孔１５２の２つ一組の脱整列形態によって閉鎖される。
【０３０２】
流体の流れは、完全に閉鎖され、または、わずかな漏出のような、流れが少ない量であることができ、流れ孔１５２の開口が、バルブ受け２１０の内部の壁の表面２４に接するとき、貫通することができる。しかしながら、さらに以下で議論されるように、流体の流れは、流れ孔１５２の開口は、内部壁の表面２４４から離れて第１のバルブ部品を曲げるためのオスの医療用器具と一緒に、遠位の方向へ第２のバルブ部品２０６を押し出すことのような、端部壁２１８の内部壁の表面２４４から離れるように押し出されるとき、許される。
【０３０３】
図１０Ｃは、図１０Ａのバルブ受け２１０の側面図である。いくつかの実施例において、側壁２１６の外部表面は、平坦でない外側の表面を作り出すための、突起、経路、または凹部が設けられることができる。この平坦でない外側の表面は、カテーテルハブの内部壁の表面とバルブ受けの側壁２１６の間を流れるための、ガス抜きを可能にする。
【０３０４】
図１０Ｄは、本開示の態様によって提供されるバルブ受け２１０Ａの部分前面斜視図である。本バルブ受け２１０Ａは、少しを除いて、図１０Ａ−１０Ｃのバルブ受けと同じようである。本実施形態において、バルブ受け２１０Ａは、複数のスロットまたはスリット２７０を組み込む。それぞれのスロット２７０は、第１の円筒部分２１２の複数の表面を通過することができる。示されているように、それぞれのスロット２７０は、内側の縁２２８、側壁２１６、及び端部壁２１８を通過することができる。実施例において、それぞれのスロット２７０は、完全に内側の縁２２８と側壁２１６の長さと幅の大きさを完全に通過することができる。スロット２７０は、穴２２２へ通じる端部壁の開口２２１の周りまで、端部壁２１８の、実質的に直径の一部のような、実質的な大きさを通過することもできる。しかしながら、それぞれのスロット２７０は、端部壁２１８の一部のみ通過し、穴２２２の開口には遠く及ばなくてもよい。実施例において、４つのスロット２７０は、組み込まれる。しかしながら、スロット２７０の数は、４つより多く、または、４つより少なくすることができる。組み込まれたとき、スロット２７０により、第１の円筒部分２１２の構造は、図９Ａ−９Ｃのバルブ２０２の第１のバルブ部品２０４が第１の円筒部分２１２の保持空間２３６に圧入されることができるように、曲がることができる。スロット２７０により、組み立てられたバルブシステム１４２は、また、カテーテルハブの内部空洞の中に取り付ける間、簡単に曲がることができる。これにより、現在スロットされているバルブ受けを備えるバルブシステムは、単一のハブ本体の形態とともに使われることができる。代わりに、現在スロットされているバルブ受けを備えるバルブシステム１４２は、２つの部分のカテーテルハブ本体とともに使われてもよい。
【０３０５】
スロット２７０が組み込まれたとき、流れ孔１５２の少しは、スロット２７０が含まれないときより端部壁２１８に形成されることができる。示されるように、４つの流れ孔１５２は、端部壁２１８に提供される。しかしながら、４つの流れ孔１５２より少なくまたは４つの流れ孔１５２より多くが含まれることができる。第１の円筒部分２１２におけるスロット２７０と流れ孔１５２は、さらに以下で議論されるように、バルブシステムが閉じられた位置にあるとき、第１のバルブ部品２０４の流れ孔１５２のいずれかと整列していなくてもよい。
【０３０６】
いくつかの実施例において、穴２２２と一緒の縦方向に走る１以上の縦のスロットは、第２の円筒部分２１４に組み込まれることができる。第２の円筒部分２１４のスロットは、バルブ受け２１０Ａの中のバルブ２０２の組み立てを容易にするために含まれることができる。
【０３０７】
図１０Ｅは、本開示の態様によって、提供されたバルブ受け２１０Ｂの部分前側斜視図である。本バルブ受け２１０Ｂは、図１０Ａ−１０Ｃのバルブ受け２１０及び図１０Ｄのバルブ受け２１０Ａと同様である。本実施形態において、２つのスロット２７０のみが組み込まれる。２つのスロット２７０のみとともに、図１０Ｄの実施形態の端部壁２１８よりさらなる流れ孔１５２が、端部壁２１８に組み込まれることができる。
【０３０８】
今、図１１Ａを参照すると、バルブシステム１４２は、斜視図で、少なくともバルブ２０２の第１のバルブ部品２０４の近位に面する壁の表面２１４ａの一部が、バルブ受け２１０の内部壁の表面２４４に接触する、閉じられた位置が示されている。バルブシステム１４２は、閉じられた位置にあり、図７Ａ及び７Ｂに示された形態と同様である。示されるように、以前に記載されたように、バルブ受け２１０の流れ孔１５２とバルブ２０２の流れ孔１５２は、一列に並んでいなくてもよい。それゆえ、流体は、バルブシステム１４２が示されている閉じられた位置にあるとき、流れなくてもよく、または流れ孔１５２の２つの組にわたって制限されてもよい。針シャフトが、達成した静脈穿刺に続く、バルブ２０２の隔膜２４０から及び穴２５０から取り除かれるとき、隔膜２４０に位置である、閉じられたスリット２２０も示されている。
【０３０９】
バルブ２０２の第２のバルブ部品２０６の流れ孔１５２は、バルブ受け２１０から間を空けることができ、第１のバルブ部品２０４から間隔を空けることができる。例えば、バルブ受け２１０の流れ孔１５２は、間隔によって、第２のバルブ部品２０６の流れ孔１５２から間を空ける。間隔は、バルブ軸２０８の長さまたはその増加であることができる。第１のバルブ部品２０４の流れ孔１５２は、間隔によって、第２のバルブ部品２０６の流れ孔から間を空ける。間隔は、バルブ軸２０８の長さまたはその増加であることができる。バルブ受け２１０の第２の円筒部分２１４の穴２２２（図１０Ａ）は、バルブ軸２０８の外側を隙間２５２に提供するような、大きさと形状であってもよい。これにより、バルブ軸２０８がオスの医療用器具によって圧縮されるとき、さらに容易に動くことができる。さらに、隙間２５２は、バルブ軸が圧縮または曲げに耐えるべき、第２のバルブ部品２０６がオスの医療用器具によって遠位に押されるとき、伸長及び／または偏向するためにバルブ軸２０８のための余裕を提供する。いくつかの実施例において、バルブ軸２０８は、単に、伸長及び／または偏向せずに、第１のバルブ部品に遠位の方向への力を移動する。第２のバルブ部品２０６は、バルブ受け２１０へバルブ２０２の取り付けの間、第２の円筒部分２１４の穴２２２を通って、強く押されるように、十分に柔軟であってもよい。第２のバルブ部品２０６は、取り付けを容易にするためのスロットまたは間隔を組み合わせてもよい。いくつかの実施例において、細長い棒のような、硬い熱可塑性物質は、第２のバルブ部品がバルブを稼働するためのオスのルアーの先端によって押されることができるように、硬さを加えるために、共成形、インサート成形によって、または、成形後の間のような、第２のバルブ部品２０６に加えられてもよい。
【０３１０】
今、図１１Ｂを参照すると、図１１Ａのバルブシステム１４２は、稼働したまたは開けられた位置で示される。開けられた位置において、バルブシステム１４２はまた、図８Ａ及び図８Ｂで示される。図８Ａ及び８Ｂは、それぞれ、側面断面斜視図及び側面断面図でカテーテルハブ１０２の内側のバルブシステム１４２を示す。肩部２００に対して、カテーテルハブ１０２の内側に固定される軸方向に保持されたバルブシステム１４２を稼働するために、オスのルアーアダプタまたは注射器の先端のような、オスの医療用器具は、第２のバルブ部品２０６の近位に面する壁の表面２２６ａを押すために、カテーテルハブ１０２（図８Ａ及び８Ｂ）の近位の開口１３０の中に挿入される。第２のバルブ部品２０６は、オスの医療用器具の先端の端部表面によって押されるような、大きさと形状である壁２２４を有する。例えば、円周２２６ｃ近くの外側表面２６０は、遠位の方向に第２のバルブ部品２０６を進めるためのオスの医療用器具の先端によって、隣接されるような、大きさと形状である。十分に遠位に向けられた力が、第２のバルブ部品２０８に与えられるとき、力は、バルブ軸２０８を遠位の方向に進め、力を第１のバルブ部品２０４へ移すことができる。第１のバルブ部品２０４の壁２１２が弾性であるとき、与えられた力で曲がり、遠位の方向で軸方向に、しなる。第１のバルブ部品２０４がバルブ受け２１０の縁２２８によって、その外側の外周の周りにとどめられるので、壁は、遠位の方向に中央に配置された孔１５４において、または近くで、より容易に曲がる。
【０３１１】
図１１Ｂに最もよく示されているように、壁２１２の曲がりは、間隔または空間２６２を作り出すためのバルブ２０２の近位に面する壁の表面２１４ａとバルブ受け２１０の内部壁の表面２４４の間を分離することをもたらす。バルブ２０２の近位に面する壁の表面２１４ａとバルブ受け２１０の内部壁の表面２４４の間の間隔と空間２６２によって、バルブシステム１４２は開けられた位置にあるということができる。第１のバルブ部品２０４の曲がりは、第２のバルブ部品２０６に遠位に向けられる力によって、少なくとも一部に引き起こされることができる。それゆえ、流体が、今、オスの医療用器具の先端から外へ放出されると、流体は、始めに第２のバルブ部品２０６の流れ孔１５２を通って、それからバルブ受け２１０の流れ孔１５２を通って、それから間隔２６２を通り及び第１のバルブ部品２０４の流れ孔１５２を通って、そしてそれから最終的には、カテーテルチューブを通って、そして患者の中に入るように流れることができる。バルブシステム１４２が開けられた位置になるとすぐに、患者からのサンプルもまた、注射筒の中に真空を作り出すために、注射器のプランジャに後退することでのように、オスの医療用器具において真空を発生することによって、バルブ２０２を通って引き出されることができる。流体は、サンプルを引き出すときに、ちょうど記載されたものと反対の順で流れることができる。
【０３１２】
バルブシステム１４２を閉じるために、オスの医療用器具は、始めにカテーテルハブ１０２の近位の開口１３０から離れて、近位の方向に後退される。バルブ２０２が弾性であり、またその外側の外周がバルブ受け２１０の縁２２８によってとどめられているときであって、壁２１２は、いくらかの外部の力によって負荷を掛けられていないとき、その少ない曲げられた状態またはその通常の状態に戻る。実施例において、バルブ２０２は、開けられた状態または位置から閉じられた状態または位置へバルブシステム１４２を動かすように、図１１Ｂに示される曲げられた位置から、図１１Ａに示されるその曲がりが少ない状態へ動くことができる。
【０３１３】
図１１Ａ及び１１Ｂのバルブシステム１４２は、図１０Ｄのバルブ受け２１０Ａまたは図１０Ｅのバルブ受け２１０Ｂとともに実施されてもよい。
【０３１４】
本明細書の何れかに図示され、記載された針装置を製造し及び使用する方法は、本開示の範囲内である。
【０３１５】
針装置及びそれらの部品の限られた実施形態が本明細書で具体的に記載され、描かれているが、多くの改良及び変形が、当業者にとって容易にわかるであろう。さらに、１つの針装置のために議論された具体的な機構は、機能が両立できるように提供された、別の針装置の実施形態に含まれるように採用されてもよいことが理解され、予期される。例えば、解放要素は、針保護装置と一体にされてもよい。その結果、開示された装置、システム、及び方法の原理によって、構成された、針装置及びそれらの部品は、具体的に本明細書で記載されたようなものとは他に具体化されてもよいことが理解されるべきである。開示は、また続く請求項でも画定される。
【図１】
2018515182.tif 000003
【図１Ａ】
2018515182.tif 000004
【図２】
2018515182.tif 000005
【図３】
2018515182.tif 000006
【図４Ａ】
2018515182.tif 000007
【図４Ｂ】
2018515182.tif 000008
【図５】
2018515182.tif 000009
【図６Ａ】
2018515182.tif 000010
【図６Ｂ】
2018515182.tif 000011
【図６Ｃ】
2018515182.tif 000012
【図７Ａ】
2018515182.tif 000013
【図７Ｂ】
2018515182.tif 000014
【図８Ａ】
2018515182.tif 000015
【図８Ｂ】
2018515182.tif 000016
【図９Ａ】
2018515182.tif 000017
【図９Ｂ】
2018515182.tif 000018
【図９Ｃ】
2018515182.tif 000019
【図１０Ａ】
2018515182.tif 000020
【図１０Ｂ】
2018515182.tif 000021
【図１０Ｃ】
2018515182.tif 000022
【図１０Ｄ】
2018515182.tif 000023
【図１０Ｅ】
2018515182.tif 000024
【図１１Ａ】
2018515182.tif 000025
【図１１Ｂ】
2018515182.tif 000026
【国際調査報告】
2018515182.tif 000027
2018515182.tif 000028